(57)【特許請求の範囲】
【請求項１】
通信装置から送信される光によるデータ信号を受信する電子時計であって、
光を受光して発電する太陽電池と、
前記太陽電池の出力値を検出する検出回路と、
前記太陽電池が発電した電力で充電される二次電池と、
前記太陽電池と前記二次電池とを接続および切断する充電制御回路と、
前記検出回路および前記充電制御回路を制御する制御部と、を備え、
前記制御部は、
前記通信装置から送信される送信データのデータ信号を受信する受信期間に、前記太陽電池の出力値を検出して光による信号を受信する検出期間、および、前記二次電池を充電可能な充電期間を設定し、
前記検出期間に、前記充電制御回路を制御して前記太陽電池と前記二次電池とを切断させ、前記検出回路に前記太陽電池の出力値を検出させ、
前記充電期間に、前記充電制御回路を制御して前記太陽電池と前記二次電池とを接続させ、
前記通信装置は、
光を発光する発光素子と、
前記発光素子を駆動する発光素子駆動回路と、
前記発光素子駆動回路を制御して、前記データ信号の値に応じて、前記発光素子の発光状態を変化させることで、光により前記データ信号を送信させる装置側送信制御部と、を備え、
前記装置側送信制御部は、前記受信期間における、前記検出期間を含みかつ前記検出期間よりも長い期間、前記発光素子の発光状態を前記データ信号の値に応じた状態に維持させる
ことを特徴とする電子時計。
【請求項２】
請求項１に記載の電子時計において、
送信用コイルと、
前記送信用コイルを駆動するコイル駆動回路と、を備え、
前記制御部は、前記コイル駆動回路を制御して、前記データ信号の送信を要求するデータ要求信号を電磁結合により送信させ、
前記受信期間は、前記データ要求信号が送信されてから次のデータ要求信号が送信されるまでの期間である
ことを特徴とする電子時計。
【請求項３】
請求項１または請求項２に記載の電子時計において、
前記データ信号は前記通信対象から１ビットずつ送信され、
前記制御部は、前記検出期間および前記充電期間を１ビットの前記データ信号を受信する受信期間毎に設定する
ことを特徴とする電子時計。
【請求項４】
請求項１から請求項３のいずれか一項に記載の電子時計において、
前記受信したデータ信号を記憶するデータ信号記憶部を備え、
前記制御部は、
前記データ信号が１ブロック分受信される毎に、受信された１ブロック分のデータ信号を前記データ信号記憶部に記憶させ、
前記１ブロック分のデータ信号を前記データ信号記憶部に記憶させている間、前記充電制御回路を制御して前記太陽電池と前記二次電池とを接続させる
ことを特徴とする電子時計。
【請求項５】
請求項１から請求項４のいずれか一項に記載の電子時計において、
前記受信したデータ信号を記憶するデータ信号記憶部を備え、
前記制御部は、
前記データ信号が１ブロック分受信される毎に、受信された１ブロック分のデータ信号を前記データ信号記憶部に記憶させ、
前記１ブロック分のデータ信号を前記データ信号記憶部に記憶させる前または後の所定期間に、前記充電制御回路を制御して前記太陽電池と前記二次電池とを接続させる
ことを特徴とする電子時計。
【請求項６】
請求項１から請求項５のいずれか一項に記載の電子時計において、
前記二次電池の電池電圧を検出する電池電圧検出回路を備え、
前記制御部は、前記充電期間において、前記電池電圧検出回路の検出値が閾値以上の場合には、前記充電制御回路を制御して前記太陽電池と前記二次電池とを切断させる
ことを特徴とする電子時計。
【請求項７】
請求項１から請求項６のいずれか一項に記載の電子時計において、
前記二次電池の電池電圧を検出する電池電圧検出回路を備え、
前記制御部は、前記電池電圧検出回路の検出値に応じて、前記受信期間および前記充電期間の長さを設定する
ことを特徴とする電子時計。
【請求項８】
電子時計に光によるデータ信号を送信する通信装置であって、
前記電子時計は、
光を受光して発電する太陽電池と、
前記太陽電池の出力値を検出する検出回路と、
前記太陽電池が発電した電力で充電される二次電池と、
前記太陽電池と前記二次電池とを接続および切断する充電制御回路と、
前記検出回路および前記充電制御回路を制御する制御部と、を備え、
前記制御部は、
前記通信装置から送信される送信データのデータ信号を受信する受信期間に、前記太陽電池の出力値を検出して光による信号を受信する検出期間、および、前記二次電池を充電可能な充電期間を設定し、
前記検出期間に、前記充電制御回路を制御して前記太陽電池と前記二次電池とを切断させ、前記検出回路に前記太陽電池の出力値を検出させ、
前記充電期間に、前記充電制御回路を制御して前記太陽電池と前記二次電池とを接続させ、
前記通信装置は、
光を発光する発光素子と、
前記発光素子を駆動する発光素子駆動回路と、
前記発光素子駆動回路を制御して、前記データ信号の値に応じて、前記発光素子の発光状態を変化させることで、光により前記データ信号を送信させる装置側送信制御部と、を備え、
前記装置側送信制御部は、
前記受信期間における、前記検出期間を含みかつ前記検出期間よりも長い期間、前記発光素子の発光状態を前記データ信号の値に応じた状態に維持させる
ことを特徴とする通信装置。
【請求項９】
請求項８に記載の通信装置において、
前記データ信号には値が異なる第１信号および第２信号が含まれ、
前記装置側送信制御部は、
前記データ信号が前記第１信号の場合、前記発光素子を発光させ、前記データ信号が前記第２信号の場合、前記発光素子を消灯させる
ことを特徴とする通信装置。
【請求項１０】
請求項８に記載の通信装置において、
前記データ信号には値が異なる第１信号および第２信号が含まれ、
前記装置側送信制御部は、
前記データ信号が前記第１信号の場合、前記発光素子を第１輝度で発光させ、前記データ信号が第２信号の場合、前記発光素子を前記第１輝度よりも低い第２輝度で発光させる
ことを特徴とする通信装置。
【請求項１１】
請求項８から請求項１０のいずれか一項に記載の通信装置において、
前記送信データのデータ信号がすべて送信された後に、前記発光素子駆動回路を制御して前記発光素子を発光させる発光制御部を備える
ことを特徴とする通信装置。
【請求項１２】
請求項８から請求項１１のいずれか一項に記載の通信装置において、
前記送信データの送信が開始される前に、前記発光素子駆動回路を制御して前記発光素子を発光させる発光制御部を備える
ことを特徴とする通信装置。
【請求項１３】
電子時計と通信装置とを備える通信システムであって、
前記電子時計は、
光を受光して発電する太陽電池と、
前記太陽電池の出力値を検出する検出回路と、
前記太陽電池が発電した電力で充電される二次電池と、
前記太陽電池と前記二次電池とを接続および切断する充電制御回路と、
前記検出回路および前記充電制御回路を制御する制御部と、を備え、
前記制御部は、
前記通信装置から送信される送信データのデータ信号を受信する受信期間に、前記太陽電池の出力値を検出して光による信号を受信する検出期間、および、前記二次電池を充電可能な充電期間を設定し、
前記検出期間に、前記充電制御回路を制御して前記太陽電池と前記二次電池とを切断させ、前記検出回路に前記太陽電池の出力値を検出させ、
前記充電期間に、前記充電制御回路を制御して前記太陽電池と前記二次電池とを接続させ、
前記通信装置は、
光を発光する発光素子と、
前記発光素子を駆動する発光素子駆動回路と、
前記発光素子駆動回路を制御して、前記データ信号の値に応じて、前記発光素子の発光状態を変化させることで、光により前記データ信号を送信させる装置側送信制御部と、を備え、
前記装置側送信制御部は、
前記受信期間における、前記検出期間を含みかつ前記検出期間よりも長い期間、前記発光素子の発光状態を前記データ信号の値に応じた状態に維持させる
ことを特徴とする通信システム。
【請求項１４】
請求項１３に記載の通信システムにおいて、
前記送信データには前記データ信号として値が異なる第１信号および第２信号が含まれ、
前記装置側送信制御部は、
前記送信データに含まれる前記第１信号および前記第２信号のうち、数が多い方の信号を判定する判定処理を行い、
前記第１信号の数が前記第２信号の数よりも多い場合には、前記データ信号が前記第１信号の場合、前記発光素子を発光させ、前記データ信号が前記第２信号の場合、前記発光素子を消灯させ、
前記第２信号の数が前記第１信号の数よりも多い場合には、前記データ信号が前記第１信号の場合、前記発光素子を消灯させ、前記データ信号が前記第２信号の場合、前記発光素子を点灯させ、
前記電子時計の前記制御部は、前記判定処理の結果に応じて、前記第１信号および前記第２信号を受信させる
ことを特徴とする通信システム。
【発明の詳細な説明】
【技術分野】
【０００１】
本発明は、データ通信を行う電子時計、通信装置および通信システムに関する。
【背景技術】
【０００２】
従来、光を受光して発電する太陽電池を用いて、外部データ送信装置から送信される光信号を受信する電子時計が知られている（例えば、特許文献１参照）。
特許文献１の電子時計は、データ伝送モードに移行すると、太陽電池と二次電池とを接続する充電経路を切断し、充電経路を切断した状態で太陽電池の誘起電圧を検出し、誘起電圧を基準電圧と比較することで信号を判定している。
【先行技術文献】
【特許文献】
【０００３】
【特許文献１】特開２００１−９９９６４号公報
【発明の概要】
【発明が解決しようとする課題】
【０００４】
特許文献１の電子時計では、データ通信時、常に充電経路が切断されているため、外部データ送信装置から電子時計に光信号が送信され、太陽電池が光を受光しても、二次電池は充電されない。
データ通信時、電子時計は電力を消費するため、二次電池が充電されないと、二次電池の電池容量が低下するという問題がある。この場合、データ通信が途中で停止するなどして、使い勝手がよくない。
【０００５】
本発明の目的は、データ通信による電池容量の低下を抑制できる電子時計、通信装置および通信システムを提供することにある。
【課題を解決するための手段】
【０００６】
本発明の電子時計は、光を受光して発電する太陽電池と、前記太陽電池の出力値を検出する検出回路と、前記太陽電池が発電した電力で充電される二次電池と、前記太陽電池と前記二次電池とを接続および切断する充電制御回路と、前記検出回路および前記充電制御回路を制御する制御部と、を備え、前記制御部は、通信対象から送信される送信データのデータ信号を受信する受信期間に、前記太陽電池の出力値を検出して光による信号を受信する検出期間、および、前記二次電池を充電可能な充電期間を設定し、前記検出期間に、前記充電制御回路を制御して前記太陽電池と前記二次電池とを切断させ、前記検出回路に前記太陽電池の出力値を検出させ、前記充電期間に、前記充電制御回路を制御して前記太陽電池と前記二次電池とを接続させることを特徴とする。
【０００７】
通信対象の通信装置は、発光素子を備え、発光素子の発光状態（例えば、点灯、消灯）を制御することで、光による信号を送信する。
本発明では、例えば、電子時計および通信装置にそれぞれ設けられたボタンなどの入力装置を操作者が操作することなどで、通信処理が開始される。通信処理が開始されると、通信装置は、送信データのデータ信号を電子時計に送信する。
電子時計の制御部は、データ信号を受信する受信期間に、検出期間および充電期間を設定する。そして、制御部は、受信期間における検出期間に、充電制御回路を制御して太陽電池と二次電池とを切断させ、検出回路に太陽電池の出力値を検出させる。太陽電池と二次電池とが切断することで、検出回路は、太陽電池の出力値を、二次電池の電圧の影響を受けない状態で検出できる。これにより、検出回路は、データ信号を正しく受信できる。
また、制御部は、受信期間における充電期間に、充電制御回路を制御して太陽電池と二次電池とを接続させる。これによれば、通信装置からデータ信号が送信され、電子時計の太陽電池に光が照射されて発電が行われる場合、太陽電池で発電された電力で二次電池が充電される。これにより、通信処理による電池容量の低下を抑制できる。
【０００８】
本発明の電子時計において、送信用コイルと、前記送信用コイルを駆動するコイル駆動回路と、を備え、前記制御部は、前記コイル駆動回路を制御して、前記データ信号の送信を要求するデータ要求信号を電磁結合により送信させ、前記受信期間は、前記データ要求信号が送信されてから次のデータ要求信号が送信されるまでの期間であることが好ましい。
【０００９】
通信装置は、電子時計から送信されたデータ要求信号を受信すると、データ要求信号の受信に応答してデータ信号を１ビットずつ、または、複数ビットずつ電子時計に送信する。
本発明では、データ要求信号が送信されてから次のデータ要求信号が送信されるまでの受信期間に、電子時計は、検出期間および充電期間を設定する。これによれば、電子時計は、データ要求信号の送信間隔を変更することで当該受信期間を変更できる。このため、例えば、充電期間の長さを二次電池の電池容量に応じて適宜設定できる。
【００１０】
本発明の電子時計において、前記データ信号は前記通信対象から１ビットずつ送信され、前記制御部は、前記検出期間および前記充電期間を１ビットの前記データ信号を受信する受信期間毎に設定することが好ましい。
【００１１】
本発明によれば、複数ビットのデータ信号を受信する受信期間毎に充電期間を設定する場合と比べて、全体の充電期間を長くできる。
【００１２】
本発明の電子時計において、前記受信したデータ信号を記憶するデータ信号記憶部を備え、前記制御部は、前記データ信号が１ブロック分受信される毎に、受信された１ブロック分のデータ信号を前記データ信号記憶部に記憶させ、前記１ブロック分のデータ信号を前記データ信号記憶部に記憶させている間、前記充電制御回路を制御して前記太陽電池と前記二次電池とを接続させることが好ましい。
【００１３】
通信装置は、制御部が受信された１ブロック分のデータ信号をデータ信号記憶部に記憶させている間、送信データの送信を停止する。
本発明によれば、制御部が受信された１ブロック分のデータ信号をデータ信号記憶部に記憶させている間、太陽電池に光が照射されていれば、二次電池を充電することができ、通信処理による電池容量の低下をより抑制できる。
【００１４】
本発明の電子時計において、前記受信したデータ信号を記憶するデータ信号記憶部を備え、前記制御部は、前記データ信号が１ブロック分受信される毎に、受信された１ブロック分のデータ信号を前記データ信号記憶部に記憶させ、前記１ブロック分のデータ信号を前記データ信号記憶部に記憶させる前または後の所定期間に、前記充電制御回路を制御して前記太陽電池と前記二次電池とを接続させることが好ましい。
【００１５】
通信装置は、前記所定期間に、送信データの送信を停止する。
本発明によれば、前記所定期間に、太陽電池に光が照射されていれば、二次電池を充電できる。
データ信号を、例えば不揮発性メモリー等のデータ信号記憶部に記憶させる処理は、電力を消費するため、データ信号をデータ信号記憶部に記憶させる前の所定期間に、二次電池が充電されることで、データ信号をデータ信号記憶部に記憶させている間に、電池容量が低下することを防止でき、データ信号をデータ信号記憶部に確実に記憶させることができる。
また、データ信号をデータ信号記憶部に記憶させた後の所定期間に、二次電池が充電されることで、データ信号をデータ信号記憶部に記憶させることで電池容量が低下した場合でも、電池容量を回復させることができる。
【００１６】
本発明の電子時計において、前記二次電池の電池電圧を検出する電池電圧検出回路を備え、前記制御部は、前記充電期間において、前記電池電圧検出回路の検出値が閾値以上の場合には、前記充電制御回路を制御して前記太陽電池と前記二次電池とを切断させることが好ましい。
【００１７】
本発明によれば、充電期間において、二次電池の電池容量が充足しており電池電圧検出回路の検出値が閾値以上の場合には、太陽電池に光が照射されても二次電池は充電されないため、過充電を防止できる。
【００１８】
本発明の電子時計において、前記二次電池の電池電圧を検出する電池電圧検出回路を備え、前記制御部は、前記電池電圧検出回路の検出値に応じて、前記受信期間および前記充電期間の長さを設定することが好ましい。
【００１９】
本発明によれば、電池容量に応じて、充電期間を変えることができる。このため、電池容量が低い場合には、充電期間を長くすることで、電池容量の低下を確実に抑制できる。また、電池容量が高い場合には、充電期間を短くし、受信期間を短くすることで、通信期間を短縮できる。
【００２０】
本発明の通信装置は、光を発光する発光素子と、前記発光素子を駆動する発光素子駆動回路と、前記発光素子駆動回路を制御して、送信データのデータ信号の値に応じて、前記発光素子の発光状態を変化させることで、光により前記データ信号を送信させる装置側送信制御部と、を備え、前記装置側送信制御部は、前記データ信号に割り当てられた送信期間の間、前記発光素子の発光状態を前記データ信号の値に応じた状態に維持させることを特徴とする。
【００２１】
例えば、データ信号には、値が異なる第１信号および第２信号が含まれ、装置側送信制御部は、例えば、データ信号が第１信号の場合、発光素子を点灯させ、データ信号が第２信号の場合、発光素子を消灯させる。
本発明によれば、通信装置が例えば前記電子時計と通信する場合、前記電子時計において設定された充電期間に、発光素子の発光状態が維持されるため、発光素子が点灯している場合には、前記電子時計の二次電池を充電できる。これにより、電子時計における通信処理による電池容量の低下を抑制できる。
【００２２】
本発明の通信装置において、前記データ信号には値が異なる第１信号および第２信号が含まれ、前記装置側送信制御部は、前記データ信号が前記第１信号の場合、前記発光素子を発光させ、前記データ信号が前記第２信号の場合、前記発光素子を消灯させることが好ましい。
【００２３】
本発明によれば、通信装置が例えば前記電子時計と通信する場合、前記電子時計は、検出回路の検出値に基づいて太陽電池に光が照射されているか否かを判定することで、第１信号および第２信号を判定できるため、判定処理を簡略化できる。
【００２４】
本発明の通信装置において、前記データ信号には値が異なる第１信号および第２信号が含まれ、前記装置側送信制御部は、前記データ信号が前記第１信号の場合、前記発光素子を第１輝度で発光させ、前記データ信号が第２信号の場合、前記発光素子を前記第１輝度よりも低い第２輝度で発光させることが好ましい。
【００２５】
本発明によれば、通信装置が例えば前記電子時計と通信する場合、発光素子が第１輝度で発光することで、前記電子時計の太陽電池は第１照度の光を受光し、発光素子が第２輝度で発光することで、前記電子時計の太陽電池は第１照度よりも低い第２照度の光を受光する。そして、前記電子時計は、検出回路の検出値に基づいて太陽電池に照射された光の照度を判定することで、第１信号および第２信号を判定できる。
そして、本発明によれば、データ信号が第１信号の場合および第２信号の場合の両方の場合に、前記電子時計の太陽電池に光が照射されるため、例えばデータ信号が第１信号の場合にのみ太陽電池に光が照射される場合と比べて、二次電池の充電量を多くできる。
【００２６】
本発明の通信装置において、前記送信データのデータ信号がすべて送信された後に、前記発光素子駆動回路を制御して前記発光素子を発光させる発光制御部を備えることが好ましい。
【００２７】
本発明によれば、通信装置が例えば前記電子時計と通信する場合、前記電子時計において、送信データの受信処理により電池容量が低下した場合でも、受信処理が終了した後に太陽電池に光が照射されることで、電池容量を回復させることができる。これにより、受信処理の後に、別途、電子時計を充電させる必要がないため、電子時計の使い勝手を向上できる。
【００２８】
本発明の通信装置において、前記送信データの送信が開始される前に、前記発光素子駆動回路を制御して前記発光素子を発光させる発光制御部を備えることが好ましい。
【００２９】
本発明によれば、通信装置が例えば前記電子時計と通信する場合、前記電子時計において、送信データの受信処理が行われている間に、電池容量が低下することを防止でき、受信処理を確実に実行させることができる。
【００３０】
本発明の通信システムは、電子時計と通信装置とを備える通信システムであって、前記電子時計は、光を受光して発電する太陽電池と、前記太陽電池の出力値を検出する検出回路と、前記太陽電池が発電した電力で充電される二次電池と、前記太陽電池と前記二次電池とを接続および切断する充電制御回路と、前記検出回路および前記充電制御回路を制御する制御部と、を備え、前記制御部は、前記通信装置から送信される送信データのデータ信号を受信する受信期間に、前記太陽電池の出力値を検出して光による信号を受信する検出期間、および、前記二次電池を充電可能な充電期間を設定し、前記検出期間に、前記充電制御回路を制御して前記太陽電池と前記二次電池とを切断させ、前記検出回路に前記太陽電池の出力値を検出させ、前記充電期間に、前記充電制御回路を制御して前記太陽電池と前記二次電池とを接続させ、前記通信装置は、光を発光する発光素子と、前記発光素子を駆動する発光素子駆動回路と、前記発光素子駆動回路を制御して、前記データ信号の値に応じて、前記発光素子の発光状態を変化させることで、光により前記データ信号を送信させる装置側送信制御部と、を備え、前記装置側送信制御部は、前記受信期間における、前記検出期間を含みかつ前記検出期間よりも長い期間、前記発光素子の発光状態を前記データ信号の値に応じた状態に維持させることを特徴とする。
【００３１】
本発明によれば、電子時計は、検出期間において、通信装置から送信されるデータ信号を正しく受信できる。
また、例えば、データ信号には、値が異なる第１信号および第２信号が含まれ、通信装置の装置側送信制御部は、例えば、データ信号が第１信号の場合、発光素子を点灯させ、データ信号が第２信号の場合、発光素子を消灯させる。
本発明によれば、発光素子の発光状態が維持されている期間に、充電期間を設定することができるため、発光素子が点灯している場合には、二次電池を充電でき、通信処理による電池容量の低下を抑制できる。
【００３２】
本発明の通信システムにおいて、前記送信データには前記データ信号として値が異なる第１信号および第２信号が含まれ、前記装置側送信制御部は、前記送信データに含まれる前記第１信号および前記第２信号のうち、数が多い方の信号を判定する判定処理を行い、前記第１信号の数が前記第２信号の数よりも多い場合には、前記データ信号が前記第１信号の場合、前記発光素子を発光させ、前記データ信号が前記第２信号の場合、前記発光素子を消灯させ、前記第２信号の数が前記第１信号の数よりも多い場合には、前記データ信号が前記第１信号の場合、前記発光素子を消灯させ、前記データ信号が前記第２信号の場合、前記発光素子を点灯させ、前記電子時計の前記制御部は、前記判定処理の結果に応じて、前記第１信号および前記第２信号を受信させることが好ましい。
【００３３】
本発明によれば、通信装置は、送信データに含まれる第１信号および第２信号のうち、数が多い方のデータ信号を送信する場合に、発光素子を点灯させるため、反対の場合と比べて、送信データをすべて送信する間に、電子時計の太陽電池に光が照射される期間を長くできる。これにより、二次電池の充電量を多くできる。
【図面の簡単な説明】
【００３４】
【図１】本発明の第１実施形態に係る通信システムを構成する電子時計および通信装置を示す外観図である。
【図２】第１実施形態における通信システムを構成する電子時計および通信装置を示す模式図である。
【図３】第１実施形態における通信システムの動作の概要を示す図である。
【図４】第１実施形態における電子時計の正面図である。
【図５】第１実施形態における電子時計の断面図である。
【図６】第１実施形態における太陽電池の斜視図である。
【図７】第１実施形態における電子時計の回路図である。
【図８】第１実施形態における電圧検出回路の回路図である。
【図９】第１実施形態における電子時計の制御ブロック図である。
【図１０】第１実施形態におけるＲＡＭのデータ構成を示す図である。
【図１１】第１実施形態におけるEEPROMのデータ構成を示す図である。
【図１２】第１実施形態におけるローカルタイム情報のデータ構成を示す図である。
【図１３】時差情報の変更履歴の一例を示す図である。
【図１４】第１実施形態における通信装置の回路図である。
【図１５】第１実施形態における通信装置の制御ブロック図である。
【図１６】第１実施形態における電子時計の通信処理を示すフローチャートである。
【図１７】第１実施形態における通信装置の通信処理を示すフローチャートである。
【図１８】第１実施形態におけるデータ送信時の各信号の出力タイミングを示すタイミングチャートである。
【図１９】太陽電池に照射される光の照度と出力電圧との関係を示す図である。
【図２０】本発明の第２実施形態に係る通信装置の制御ブロック図である。
【図２１】第２実施形態における通信装置の通信処理を示すフローチャートである。
【図２２】第２実施形態におけるデータ送信時の各信号の出力タイミングを示すタイミングチャートである。
【図２３】本発明の第３実施形態に係る電子時計の通信処理を示すフローチャートである。
【図２４】第３実施形態における通信装置の通信処理を示すフローチャートである。
【図２５】本発明の第４実施形態に係る通信装置の設定処理を示すフローチャートである。
【図２６】第４実施形態における電子時計の設定処理を示すフローチャートである。
【図２７】本発明の第５実施形態に係る電子時計の正面図である。
【図２８】第５実施形態における電子時計の断面図である。
【図２９】第５実施形態における電子時計の回路図である。
【図３０】本発明の変形例の電子時計の回路図である。
【図３１】本発明の変形例の電圧検出回路の回路図である。
【図３２】太陽電池に照射される光の照度とダイオードの順方向電圧との関係を示す図である。
【図３３】本発明の変形例の電子時計を示す正面図である。
【図３４】本発明の変形例におけるデータ送信時の各信号の出力タイミングを示すタイミングチャートである。
【発明を実施するための形態】
【００３５】
［第１実施形態］
［通信システムの構成］
図１は、本実施形態の通信システム１０を構成する電子時計１および通信装置２を示す外観図である。図２は、通信システム１０を構成する電子時計１および通信装置２を示す模式図である。
図１、図２に示すように、通信システム１０は、電子時計１と、電子時計１との間で信号の送受信が可能な通信装置２とを備えている。通信装置２は、本発明の通信対象の一例である。
電子時計１は、指針を備えたアナログ式の腕時計である。電子時計１には、詳しくは後述するが、受光素子である太陽電池１３５と、モーターコイル１４３とを備えている。
【００３６】
通信装置２は、ベース部５１と、ベース部５１から上方に延出する本体部５２と、本体部５２から水平方向に延出された台座部５３とを備えている。さらに、本体部５２の上面５２１にはアーム部５４が設けられ、アーム部５４の先端には照明部５４１が設けられている。
台座部５３には、装置側受信部を構成するコイル５５が内蔵されている。また、照明部５４１には、発光素子５６が内蔵されている。発光素子５６は、ＬＥＤ（Light Emitting Diode）を備えて構成されている。
ここで、電子時計１は、裏蓋側が台座部５３の表面と向き合うように、台座部５３に載置（セット）されている。この際、台座部５３は本体部５２に片持ち支持されているので、電子時計１のバンドが三つ折れバックル形式のように分離できないタイプであっても、電子時計１の裏蓋を台座部５３の表面に載置できる。このため、電子時計１のモーターコイル１４３と、台座部５３に内蔵されたコイル５５とは、近接した位置に配置され、電磁結合による通信が可能とされている。
また、照明部５４１は、発光素子５６から出射された光が、台座部５３に載置された電子時計１の表面に入射し、太陽電池１３５で受光されるように設けられている。
【００３７】
本体部５２の上面５２１には、通信装置２を電子時計１と通信させるためのＡボタン５７１と、発光素子５６を点灯させるためのＢボタン５７２とが設けられている。
Ａボタン５７１が押されると、通信装置２は電子時計との間で通信処理を開始する。
Ｂボタン５７２が押されると、通信装置２は発光素子５６を継続して点灯する。これにより、通信装置２にセットされた電子時計１の太陽電池１３５に継続して光が照射され、電子時計１が備える二次電池が充電される。太陽電池付きの電子時計は、ユーザーによって使用されている際は、太陽光や蛍光灯の光等によって充電されるが、ユーザーが長い間電子時計を使用せずに机の棚などにしまっていると、電子時計に光が当たらず電子時計が充電されないため、電子時計の電池の容量が低下する。ユーザーは、容量が低い場合に電子時計を使用するには、電子時計を光に当てて充電させる必要がある。しかしながら、ユーザーが屋内にいる場合や、曇りや雨の場合は、ユーザーは電子時計をすぐに充電させることができない。このような場合に、通信装置２の操作者は、電子時計１を通信装置２にセットして充電を開始させれば、すぐに充電が行われるため、便利である。
通信装置２の操作者は、販売者や修理者を含む電子時計に関するサービスの提供者や、電子時計のユーザー等であってもよい。
【００３８】
なお、図示は省略するが、通信装置２の本体部５２には、ＵＳＢ（Universal Serial Bus）メモリー、ＳＤメモリーカード、ＣＤ（Compact Disc）、ＤＶＤ（Digital Versatile Disk）等の記憶媒体が挿入される挿入口が設けられている。また、本体部５２には、インターネットやＰＣ（Personal Computer）にケーブルを介して接続可能なコネクターも設けられている。
【００３９】
［通信システムの動作の概要］
図３に示すように、通信システム１０では、電子時計１がモーターコイル１４３にパルスを出力すると、モーターコイル１４３に磁界が発生し、通信装置２のコイル５５との間で、電磁結合が起こり、磁界の変化によってコイル５５に電流が流れ、誘導起電圧が発生する。この電磁結合を利用し、電子時計１は、モーターコイル１４３にパルスを出力するか否かで、「１，０（２進数）」の「１」の値を示す「１」信号、または、「１，０」の「０」の値を示す「０」信号を送信する。一方、通信装置２は、コイル５５に電圧が発生したか否かを検出することで、「１」信号または「０」信号を受信する。このようにして、通信装置２と電子時計１との間で、電磁結合による通信が行われる。
また、通信装置２が発光素子５６を駆動して点灯すると、電子時計１の太陽電池１３５に光が入射される。この光を利用し、通信装置２は、発光素子５６を点灯するか否かで、「１」信号または「０」信号を送信する。一方、電子時計１は、太陽電池１３５に所定の強さの光が入射されたか否かで発電電圧が変化するため、当該発電電圧を検出することで、「１」信号または「０」信号を受信できる。このようにして、通信装置２と電子時計１との間で、光による通信が行われる。
このため、発光素子５６の光以外の光が、電子時計１に照射されると、電子時計１は信号を正しく受信できないため、通信システム１０は、光を遮る暗箱内に収められて使用されることが好ましい。
【００４０】
［電子時計の構成］
電子時計１は、地球の上空を所定の軌道で周回している複数のＧＰＳ衛星のうち、少なくとも１つのＧＰＳ衛星からの衛星信号を受信して時刻情報を取得し、少なくとも３つのＧＰＳ衛星からの衛星信号を受信して位置情報を算出して取得するように構成されている。
【００４１】
［電子時計の概略構成］
図４は、電子時計１の正面図であり、図５は、電子時計１の概略を示す断面図である。
電子時計１は、図４および図５に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング３５を介して、円盤状の文字板１１が配置されている。
外装ケース３０の側面には、Ａボタン４１と、Ｂボタン４２と、リューズ４３とが設けられている。
【００４２】
電子時計１は、図５に示すように、ケース３１の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング３５と、光透過性の文字板１１と、指針２１，２２，２３，２４，２５，２６，２７，２８と、各指針およびカレンダー車２０を駆動する駆動機構１４０などが備えられている。
【００４３】
ダイヤルリング３５は、平面視においてはリング形状となっており、断面視においてはすり鉢形状となっている。ダイヤルリング３５と、ベゼル３２の内周面とによりドーナツ形状の収納空間が形成されており、この収納空間内には、リング状のアンテナ体１１０が収納されている。
【００４４】
文字板１１は、外装ケース３０の内側で時刻を表示する円形の板材であり、プラスチックなどの光透過性の材料で形成され、カバーガラス３３との間に各指針を備え、ダイヤルリング３５の内側に配置されている。
文字板１１と、駆動機構１４０が取り付けられている地板１２５との間には、光発電を行う太陽電池１３５が備えられている。
図６は、太陽電池１３５を表面側から見た斜視図である。太陽電池１３５は、光エネルギーを電気エネルギー（電力）に変換する８個のソーラーセル（光発電素子）１３５Ａを直列接続した円形の平板である。太陽電池１３５は、文字板１１と略同一のサイズで形成されている。
【００４５】
文字板１１、太陽電池１３５および地板１２５には、指針２１，２２，２３の指針軸２９と、指針２４，２５，２６，２７，２８の図示しない指針軸とが貫通する穴が形成されているとともに、カレンダー小窓１５の開口部が形成されている。
【００４６】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸を回転させることにより各指針を駆動する。
駆動機構１４０は、具体的には、第１〜第６駆動機構を備える。第１駆動機構は指針２２および指針２３を駆動し、第２駆動機構は指針２１を駆動し、第３駆動機構は指針２４を駆動し、第４駆動機構は指針２５を駆動し、第５駆動機構は指針２６，２７，２８を駆動し、第６駆動機構はカレンダー車２０を駆動する。
【００４７】
回路基板１２０は、ＧＰＳ受信装置４００、制御装置１００、記憶装置２００を備えている。また、この回路基板１２０とアンテナ体１１０とは、アンテナ接続ピン１１５を用い接続されている。ＧＰＳ受信装置４００、制御装置１００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、太陽電池１３５が発電した電力で充電される。
【００４８】
［電子時計の表示機構］
指針２１，２２，２３は、文字板１１の平面中心に、文字板１１の表裏方向に沿って設けられた指針軸２９に取り付けられている。なお、指針軸２９は、各指針２１，２２，２３が取り付けられる３つの指針軸（回転軸）で構成されている。
文字板１１の外周部を囲むダイヤルリング３５の内周側には、図４に示すように、内周を６０分割にする目盛が表記されている。この目盛を用いて、指針２１は第１時刻（ローカルタイム：例えば外国にいる場合の現地時刻）の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング３５には、１２分位置にアルファベットの「Ｙ」と、１８分位置にアルファベットの「Ｎ」の英字が表記されている。指針２１は、「Ｙ」および「Ｎ」のいずれか一方を指示し、衛星信号の受信結果を表示する。
指針２４は、文字板１１の平面中心から２時方向の位置に設けられている指針軸に取り付けられ、曜日を表示する。
【００４９】
指針２５は、文字板１１の平面中心から１０時方向の位置に設けられている指針軸に取り付けられている。
指針２５の回転領域の外周には、「ＤＳＴ」の英字と「○」の記号が表記されている。ＤＳＴ（daylight saving time）は夏時間を意味する。指針２５は、これらの英字と記号を指示することで、夏時間（ＤＳＴ：夏時間ＯＮ、○：夏時間ＯＦＦ）の設定を表示する。
また、指針２５の回転領域の外周には、円周に沿って三日月鎌状の記号１２が表記されている。この記号１２は二次電池１３０（図５参照）のパワーインジケーターであり、電池容量に応じた位置を指針２５が指示することで電池容量が表示される。
また、指針２５の回転領域の外周には、飛行機形状の記号１３が表記されている。この記号は、機内モードを表す。指針２５は、記号１３を指示することで、機内モードに設定され、受信が行われないことを表示する。
また、指針２５の回転領域の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と後述するタイムゾーンデータとが修正されること（測位モード）を意味する。
【００５０】
指針２６、指針２７は、文字板１１の平面中心から６時方向の同じ位置に設けられている指針軸に取り付けられている。指針２６は、第２時刻（ホームタイム：例えば外国にいる場合の日本の時刻）の「分」を表示し、指針２７は、第２時刻の「時」を表示する。
指針２８は、文字板１１の平面中心から４時方向の位置に設けられている指針軸に取り付けられている。指針２８は、第２時刻の午前および午後を表示する。
カレンダー小窓１５は、文字板１１を矩形状に開口した開口部に設けられており、開口部からカレンダー車２０に印刷された数字が視認可能となっている。カレンダー車２０は、開口部から数字を視認させることで、第１時刻に対応した年月日の「日」を表示する。
【００５１】
ダイヤルリング３５には、内周側の目盛に沿って、協定世界時（ＵＴＣ）との時差を表す時差情報３７が、数字と数字以外の記号とで表記されている。
また、ダイヤルリング３５の周囲に設けられているベゼル３２には、ダイヤルリング３５に表記されている時差情報３７の時差に対応した標準時を使用しているタイムゾーンの代表都市名を表す都市情報３６が、時差情報３７に併記されている。
【００５２】
［電子時計の回路構成］
図７は、電子時計１の回路図である。
電子時計１は、図７に示すように、ＣＰＵ（中央処理装置：Central Processing Unit）で構成される制御回路３００、ＧＰＳ受信装置４００、記憶装置２００、電源となる充電可能な二次電池１３０、太陽電池１３５、ダイオード１３１、充電制御用スイッチ１３２、電圧検出回路１３３、電池電圧検出回路１３４、モーターコイル１４３、コイル駆動回路１４２を備えている。なお、二次電池１３０は、太陽電池１３５から供給される電流によって充電される。
ＧＰＳ受信装置４００、記憶装置２００、充電制御用スイッチ１３２、電圧検出回路１３３、電池電圧検出回路１３４、コイル駆動回路１４２は、制御回路３００に接続されている。
ここで、制御回路３００、ダイオード１３１、充電制御用スイッチ１３２、電圧検出回路１３３、電池電圧検出回路１３４、コイル駆動回路１４２は、制御装置１００を構成している。
【００５３】
［ダイオード］
ダイオード１３１は、太陽電池１３５と二次電池１３０とを電気的に接続する経路に設けられ、太陽電池１３５から二次電池１３０への電流（順方向電流）を遮断せずに、二次電池１３０から太陽電池１３５への電流（逆方向電流）を遮断する。なお、順方向電流が流れるのは、二次電池１３０の電圧よりも太陽電池１３５の電圧が高い場合、すなわち充電時に限られる。ダイオード１３１は、太陽電池１３５の電圧が二次電池１３０よりも低くなった場合は、二次電池１３０から太陽電池１３５に電流が流れることを防止する。また、ダイオード１３１に代えて電界効果トランジスター（ＦＥＴ:Field effect transistor）を採用してもよい。
【００５４】
［充電制御用スイッチ］
充電制御用スイッチ１３２は、太陽電池１３５から二次電池１３０への電流の経路を接続および切断するものであり、太陽電池１３５と二次電池１３０とを電気的に接続する経路に設けられたスイッチング素子を備えている。スイッチング素子がオフ状態からオン状態に遷移すると接続し、スイッチング素子がオン状態からオフ状態へ遷移すると切断する。ここで、充電制御用スイッチは、本発明の充電制御回路の一例である。
【００５５】
［電圧検出回路］
電圧検出回路１３３は、電圧の検出タイミングを指定する制御信号に基づいて作動し、充電制御用スイッチ１３２がオフ状態とされた期間において太陽電池１３５の端子電圧ＰＶＩＮ、すなわち太陽電池１３５の出力電圧を検出する。そして、検出電圧を予め設定された電圧閾値と比較し、比較結果を制御回路３００に出力する。
具体的には、電圧検出回路１３３は、図８に示すように、分圧抵抗器１３３Ｅ、基準電圧源としてのレギュレーター１３３Ｆ、コンパレーター１３３Ｇを備えて構成されている。
電圧検出回路１３３は、検出電圧と比較する電圧閾値に応じて分圧抵抗器１３３Ｅの分圧抵抗値比を変える。そして、分圧抵抗器１３３Ｅで分圧された電圧と、レギュレーター１３３Ｆの基準電圧をコンパレーター１３３Ｇで比較し、その比較結果を出力ＯＵＴから制御回路３００に出力する。
そして、制御回路３００からのオン／オフ信号によって、電圧検出回路１３３の作動、具体的にはコンパレーター１３３Ｇの作動が制御される。
【００５６】
なお、仮に、充電制御用スイッチ１３２をオン状態にして、太陽電池１３５の出力電圧を検出する場合、電圧検出回路の閾値を、ＶＣＣ（電池電圧）＋０．１５Ｖ程度に設定する必要がある。しかし、ＶＣＣは、電池容量によって変化する。また、基準電圧は任意に変えることができない。このため、閾値を定める事が困難となる。
このため、電圧検出回路１３３は、充電制御用スイッチ１３２がオフ状態のときに検出を行っている。
【００５７】
［電池電圧検出回路］
電池電圧検出回路１３４は、二次電池１３０の電池電圧を、例えば５〜１０秒間隔で検出し、検出値を制御回路３００に出力する。
【００５８】
［コイル駆動回路］
コイル駆動回路１４２は、駆動機構１４０が備えるステップモーターのモーターコイル１４３の端子Ｍ１，Ｍ２に接続されている。そして、制御回路３００によって制御され、モーターコイル１４３にパルスを出力し、駆動機構１４０を駆動させ、各指針を運針させる。また、コイル駆動回路１４２は、後述する通信モードが設定された場合、モーターコイル１４３へ出力するパルスを制御することで、モーターコイル１４３が発生する磁界を利用して信号を送信する。
【００５９】
［電子時計の機能］
図９は、電子時計１の制御ブロック図である。
制御回路３００には、図９に示すように、ＧＰＳ受信装置４００、記憶装置２００、計時装置１５０、入力装置１６０、時計側受信部１７０、時計側送信部１８０、充電制御用スイッチ１３２、電池電圧検出回路１３４が接続されている。ここで、時計側受信部１７０は、電圧検出回路１３３および受光素子としての太陽電池１３５を備えて構成され、時計側送信部１８０は、コイル駆動回路１４２およびモーターコイル１４３を備えて構成される。電圧検出回路１３３は、本発明の検出回路の一例であり、モーターコイル１４３は、本発明の送信用コイルの一例である。
【００６０】
［ＧＰＳ受信装置］
ＧＰＳ受信装置４００は、アンテナ体１１０に接続され、アンテナ体１１０を介して受信した衛星信号を処理してＧＰＳ時刻情報や位置情報を取得する。アンテナ体１１０は、ＧＰＳ衛星から送信され、図５に示すカバーガラス３３とダイヤルリング３５とを通過した衛星信号の電波を受信する。
そして、ＧＰＳ受信装置４００は、図示を略すが、通常のＧＰＳ装置と同様に、ＧＰＳ衛星から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段とを備えている。
【００６１】
［入力装置］
入力装置１６０は、図４に示すリューズ４３、Ａボタン４１、Ｂボタン４２を備えて構成され、各ボタン４１，４２の押し離しや、リューズ４３の引き出し、押し込みに基づいて、各種処理の実行を指示する操作を検出し、検出した操作に応じた操作信号を制御回路３００に出力する。
【００６２】
［計時装置］
計時装置１５０は、二次電池１３０に蓄積された電力で駆動される水晶振動子等を備え、水晶振動子の発振信号に基づく基準信号を用いて時刻データを更新する。
【００６３】
［記憶装置］
記憶装置２００は、ＲＡＭ（Random Access Memory）２１０および不揮発性メモリーとしてのEEPROM（Electronically Erasable and Programmable Read Only Memory）２２０を備えている。不揮発性メモリーであれば、他の種類であるフラッシュメモリーなどであってもよい。ここで、EEPROM２２０は、本発明のデータ信号記憶部の一例である。
【００６４】
［ＲＡＭのデータ］
ＲＡＭ２１０は、図１０に示すように、受信時刻データ２１１と、閏秒更新データ２１２と、内部時刻データ２１３と、第１表示用時刻データ２１４と、第２表示用時刻データ２１５と、第１時差データ２１６と、第２時差データ２１７とが記憶される。
【００６５】
受信時刻データ２１１には、衛星信号から取得した時刻情報（ＧＰＳ時刻）が記憶される。この受信時刻データ２１１は、通常は計時装置１５０によって１秒毎に更新され、衛星信号を受信した際には、取得した時刻情報が記憶される。
閏秒更新データ２１２には、現在の閏秒のデータが記憶される。
【００６６】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が計時装置１５０で更新される際に、この内部時刻情報も更新される。
【００６７】
第１表示用時刻データ２１４には、内部時刻データ２１３の内部時刻情報に、第１時差データ２１６の時差情報を加味した時刻情報が記憶される。第１時差データ２１６は、ユーザーが手動で選択した場合や測位モードで受信した場合に得られる時差情報で設定される。ここで、第１表示用時刻データ２１４の時刻情報は、指針２１，２２，２３によって表示される第１時刻に相当する。
第２表示用時刻データ２１５には、内部時刻データ２１３の内部時刻情報に、第２時差データ２１７の時差情報を加味した時刻情報が記憶される。第２時差データ２１７は、ユーザーが手動で選択した場合に得られる時差情報で設定される。ここで、第２表示用時刻データ２１５の時刻情報は、指針２６，２７，２８によって表示される第２時刻に相当する。
【００６８】
［EEPROMのデータ］
図１１は、EEPROM２２０に記憶されたデータの構成の一例を示す図である。
EEPROM２２０は、制御回路３００で実行するプログラムや、プログラムの実行時に用いられるデータを記憶している。より具体的には、EEPROM２２０は、図１１に示すように、電子時計１を駆動させるためのシステム設定情報２２１や受信設定情報２２２の他、後述するローカルタイム情報２３０や、ローカルタイム情報２３０のバージョン（版）を示すバージョン情報２２３が、所定のアドレスにそれぞれ記憶されている。
EEPROM２２０は書き換え可能であるため、システム設定情報２２１、受信設定情報２２２、ローカルタイム情報２３０、バージョン情報２２３は更新可能とされている。
【００６９】
システム設定情報２２１は、制御回路３００で実行するプログラムや、例えば、歩度情報やステップモーターの駆動設定情報等のパラメーターや、少なくとも現在の閏秒を含む閏秒情報等である。
受信設定情報２２２は、ＧＰＳ受信装置４００の受信処理における、衛星信号の自動受信間隔や、衛星信号を捕捉できない場合などに受信処理を終了するまでのタイムアウト時間等のパラメーターである。
【００７０】
［ローカルタイム情報］
図１２は、ローカルタイム情報２３０のデータ構成の一例を示す図である。
EEPROM２２０に記憶されたローカルタイム情報２３０は、位置情報である領域情報２３１と、時差情報２３２とが対応付けられている。このため、制御回路３００は、測位モードで位置情報を取得した場合、その位置情報（緯度、経度）に基づいて時差情報を取得できるようにされている。
この時差情報２３２は、領域情報２３１として記憶された各領域において、ＵＴＣに対する時差を取得するための情報であり、タイムゾーン情報２３２１と、タイムゾーン変更情報２３２２と、ＤＳＴオフセット情報２３２３と、ＤＳＴ開始情報２３２４と、ＤＳＴ終了情報２３２５と、ＤＳＴ変更情報２３２６とを含む。
【００７１】
領域情報２３１は、地理情報を複数の領域に分割した際の各領域を示す情報である。各領域は、例えば、東西および南北方向の各長さが１０００〜２０００ｋｍ程度の矩形形状の領域である。なお、地理情報とは、タイムゾーンを有する地図情報である。領域情報２３１としては、各領域を特定するための座標データが記憶されている。すなわち、矩形形状の領域であれば、例えば、左上の座標（経度、緯度）と、領域の右下の座標（経度、緯度）とで領域を特定できるため、これらの２点の座標が記憶されている。
【００７２】
タイムゾーン情報２３２１は、各領域におけるＵＴＣに対するタイムゾーンを示す。
タイムゾーン変更情報２３２２は、タームゾーンの変更予定を示す情報であり、各領域においてタイムゾーンが変更される日時や、タイムゾーン変更後のＵＴＣに対する時差を示す。例えば、図１２に示すように、領域２では、２０１４年１０月２６日の午前２時以降に、ＵＴＣに対する時差が＋８時間から＋９時間に変更されることを示している。
【００７３】
ＤＳＴオフセット情報２３２３は、各領域における夏時間（サマータイム）のオフセット値を示す。
ＤＳＴ開始情報２３２４は、各領域における夏時間の開始時期を示し、ＤＳＴ終了情報２３２５は、各領域における夏時間の終了時期を示す。
ＤＳＴ変更情報２３２６は、ＤＳＴの変更予定を示す情報であり、各領域における夏時間の設定が変更される日時や、変更後のオフセット値等を示す。
例えば、図１２に示すように、領域３では、３月最終日曜から１０月最終日曜の期間においてＤＳＴのオフセット値を＋１とし、２０１５年以降ではＤＳＴのオフセット値を０とすることを示している。
【００７４】
ここで、図１３は、時差情報の変更履歴の一例を示す図である。
図１３に示すように、時差情報であるタイムゾーン情報や夏時間に係る情報が変更されると、当該変更に応じて、新たなローカルタイム情報が作成される。そして、作成されたローカルタイム情報に対して、新たなバージョン情報が付与される。このバージョン情報は、例えば、ローカルタイム情報のバージョンを、数値や文字や記号等に対応させて表示させるための情報である。なお、ローカルタイム情報は、タイムゾーンや夏時間が変更される毎に新たに作成されてもよいし、所定期間が経過した場合や、所定のタイムゾーンに係る変更があった場合等の、所定の取り決めに応じて新たに作成されてもよい。
このように、タイムゾーンや夏時間の変更に応じて、ローカルタイム情報を適宜更新することにより、各領域において、ＵＴＣに対する時差をより正確に取得することができる。
また、EEPROM２２０に記憶されているローカルタイム情報２３０に付与されたバージョン情報２２３を参照することで、当該ローカルタイム情報２３０が、最新のローカルタイム情報と同一のバージョン、すなわち最新バージョンか否かを容易に判別できる。
さらに、バージョン情報２２３に基づいて、最終更新時期や更新内容等を知ることができる。
【００７５】
このようなシステム設定情報２２１、受信設定情報２２２、ローカルタイム情報２３０、バージョン情報２２３は、製造時や出荷時にEEPROM２２０に記憶される。また、これらの情報は、後述するデータ通信処理によって、最新のデータに更新できる。データの更新の際は、EEPROM２２０に含まれる全データを置換してもよいし、変更箇所を含む一部のデータを置換してもよい。
【００７６】
［制御回路］
制御回路３００は、記憶装置２００に格納された各種プログラムを実行することで、図９に示すように、測時部３１０、測位部３２０、時計側通信処理部３４０、充電制御部３５０、記憶制御部３６０として機能する。
【００７７】
［測時部］
測時部３１０は、所定間隔で設定された自動受信タイミングに該当した場合や、電子時計１に照射される光量が所定光量以上となり、屋外において電子時計１に日光が照射していると判断できる場合に、自動受信条件に該当したと判断し、ＧＰＳ受信装置４００を作動して測時モードでの受信処理を行う。また、測時部３１０は、Ａボタン４１が３秒以上６秒未満押され、測時モードの強制受信操作が行われると、ＧＰＳ受信装置４００を作動して測時モードでの受信処理を行う。測時モードでの受信処理が行われると、ＧＰＳ受信装置４００は、少なくとも１つのＧＰＳ衛星を捕捉し、そのＧＰＳ衛星から送信される衛星信号を受信して時刻情報を取得する。
【００７８】
［測位部］
測位部３２０は、Ａボタン４１が６秒以上押され、測位モードの強制受信操作が行われると、ＧＰＳ受信装置４００を作動して測位モードでの受信処理を行う。測位モードでの受信処理が行われると、ＧＰＳ受信装置４００は、少なくとも３個、好ましくは４個以上のＧＰＳ衛星を捕捉し、各ＧＰＳ衛星から送信される衛星信号を受信して位置情報を算出して取得する。また、ＧＰＳ受信装置４００は、衛星信号を受信した際に時刻情報も同時に取得できる。
なお、本実施形態では、上記自動受信条件に該当した場合、測時モードでの受信処理が行われるが、測位モードでの受信処理が行われるように選択できるようにしてもよい。
【００７９】
［時計側通信処理部］
時計側通信処理部３４０は、通信装置２と通信する通信処理を実行する。時計側通信処理部３４０は、時計側送信制御部３４１、時計側受信制御部３４２を備える。
時計側送信制御部３４１は、コイル駆動回路１４２を制御して通信装置２に対して電磁結合により信号を送信する送信処理を行う。時計側受信制御部３４２は、電圧検出回路１３３を制御して通信装置２から送信される光による信号を受信する受信処理を行う。
【００８０】
［充電制御部］
充電制御部３５０は、充電制御用スイッチ１３２を制御し、太陽電池１３５で発電された電力の二次電池１３０への供給状態を制御する。
［記憶制御部］
記憶制御部３６０は、ＲＡＭ２１０に記憶されたデータを、EEPROM２２０に記憶させる処理を制御する。
以上の制御回路３００の各機能部の詳細は、後述する電子時計１の通信処理の説明で詳述する。ここで、制御回路３００は、本発明の制御部を構成する。
【００８１】
［通信装置の構成］
図１４は、通信装置２の回路図であり、図１５は、通信装置２の制御ブロック図である。
通信装置２は、図１４、図１５に示すように、ＣＰＵで構成される制御回路６１、ＲＡＭやEEPROM等の不揮発性メモリー等で構成される記憶装置６２、通信インターフェイス６３、入力装置６４、記憶媒体読取部６５、発光素子駆動回路６６、電圧検出回路６７、コイル５５（受信用コイル）、発光素子５６を備える。
【００８２】
［電圧検出回路］
電圧検出回路６７は、電磁誘導によってコイル５５に電流（パルス）が発生したか否かをコイル５５の誘導起電圧を予め設定された閾値と比較することによって検出する。すなわち、電圧検出回路６７は、閾値以上の電圧を検出した場合には、信号を受信したと判定し、判定結果を制御回路６１に出力する。したがって、図１５に示すように、コイル５５および電圧検出回路６７によって、装置側受信部６８が構成される。
【００８３】
［発光素子駆動回路］
発光素子駆動回路６６は、制御回路６１による制御に応じて、発光素子５６の駆動を制御し、発光素子５６を点灯させることで、「１」信号を送信し、発光素子５６を消灯させることで、「０」信号を送信する。したがって、図１５に示すように、発光素子駆動回路６６および発光素子５６によって、装置側送信部６９が構成される。ここで、「１」信号は、本発明の第１信号の一例であり、「０」信号は、本発明の第２信号の一例である。なお、「０」信号が、本発明の第１信号であり、「１」信号が本発明の第２信号であってもよい。
【００８４】
［通信インターフェイス］
通信インターフェイス６３は、インターネット等のネットワークと接続可能に構成され、制御回路６１による制御によりネットワークに接続して、ネットワークから後述する更新データを受信する。受信された更新データは制御回路６１によって記憶装置６２に記憶される。
また、通信インターフェイス６３は、ＰＣ等の電子機器とも接続可能に構成され、制御回路６１による制御により電子機器に接続して、電子機器から更新データを受信する。受信された更新データは制御回路６１によって記憶装置６２に記憶される。
【００８５】
［入力装置］
入力装置６４は、Ａボタン５７１およびＢボタン５７２を備え、各ボタン５７１，５７２の押し込み操作に応じた操作信号を、制御回路６１に出力する。
【００８６】
［記憶媒体読取部］
記憶媒体読取部６５は、ＵＳＢ（Universal Serial Bus）メモリー、ＳＤカード、ＣＤ（Compact Disc）、ＤＶＤ（Digital Versatile Disk）等の記憶媒体に記憶されたデータを読取可能に構成されている。記憶媒体読取部６５は、制御回路６１による制御により記憶媒体に接続して、記憶データから更新データを読み取る。読み取られた更新データは制御回路６１によって記憶装置６２に記憶される。
【００８７】
［記憶装置］
記憶装置６２は、図１５に示すように、更新データ記憶部６２２を備えている。
更新データ記憶部６２２には、電子時計１に送信される送信データとして更新データが記憶されている。更新データは、電子時計１のEEPROM２２０に記憶されるシステム設定情報２２１、受信設定情報２２２、ローカルタイム情報２３０、バージョン情報２２３の一部の情報であってもよいし、すべての情報であってもよい。
【００８８】
［制御回路］
制御回路６１は、記憶装置６２に格納された各種プログラムを実行することで、装置側通信処理部６４０として機能する。
装置側通信処理部６４０は、電子時計１と通信する通信処理を実行する。装置側通信処理部６４０は、装置側受信制御部６４１、装置側送信制御部６４２を備える。
装置側受信制御部６４１は、電圧検出回路６７を制御して電子時計１から送信される電磁結合による信号を受信する受信処理を行う。装置側送信制御部６４２は、発光素子駆動回路６６を制御して電子時計１に対して光により信号を送信する送信処理を行う。
以上の制御回路６１の各機能部の詳細は、後述する通信装置２の通信処理の説明で詳述する。
【００８９】
［電子時計の通信処理］
図１６は、電子時計１が実行する通信処理を示すフローチャートである。
制御回路３００は、入力装置１６０の通信モード設定操作を検出すると（Ｓ１１）、時計側通信処理部３４０を作動して、電子時計１を通信モードに設定する（Ｓ１２）。
ここで、通信モードが設定されていない通常時、充電制御部３５０は、電池電圧検出回路１３４の検出値が閾値未満の場合には、太陽電池１３５で発電された電力で二次電池１３０を充電させるため、充電制御用スイッチ１３２をオン状態にし、前記検出値が閾値以上の場合には、二次電池１３０の過充電を防止するため、太陽電池１３５から二次電池１３０への充電を停止するために、充電制御用スイッチ１３２をオフ状態にする。
なお、充電制御部３５０は、通信処理時においても、前記検出値が閾値以上の場合は、充電制御用スイッチ１３２をオフ状態にする。
【００９０】
時計側通信処理部３４０は、動作を開始すると、まず、時計側送信制御部３４１を作動させる。
時計側送信制御部３４１は、時計側送信部１８０のコイル駆動回路１４２を制御して、モーターコイル１４３に１パルス出力し、つまり、電圧を出力し、データ信号の送信を要求するデータ要求信号を送信させる（Ｓ１３）。ここで、データ信号は、通信装置２から送信される更新データの１ビット毎の信号列であって、「１」の値を示す「１」信号および「０」の値を示す「０」信号を含む。
【００９１】
時計側通信処理部３４０は、時計側送信制御部３４１によりデータ要求信号が送信された後、時計側受信制御部３４２を作動させる。
時計側受信制御部３４２が作動される際、充電制御部３５０は、充電制御用スイッチ１３２をオフ状態にする。
時計側受信制御部３４２は、動作を開始すると、時計側受信部１７０の電圧検出回路１３３を制御して、太陽電池１３５の出力電圧を検出させ、１ビットのデータ信号を受信させる（Ｓ１４）。
時計側受信制御部３４２は、電圧検出回路１３３で閾値より高い電圧を検出したか否かを判定し（Ｓ１５）、電圧検出回路１３３で閾値より高い電圧を検出した場合（Ｓ１５でＹＥＳ）、「１」信号を受信したと判定し（Ｓ１６）、受信結果を時計側通信処理部３４０に出力する。一方、時計側受信制御部３４２は、電圧検出回路１３３で閾値以下の電圧を検出した場合（Ｓ１５でＮＯ）、「０」信号を受信したと判定し（Ｓ１７）、受信結果を時計側通信処理部３４０に出力する。
そして、時計側受信制御部３４２は、受信した信号を、ＲＡＭ２１０に記憶させる。
【００９２】
時計側受信制御部３４２がデータ信号を受信した後、充電制御部３５０は、電池電圧検出回路１３４の検出値が閾値未満の場合には、充電制御用スイッチ１３２をオン状態にする。そして、時計側通信処理部３４０は、通信装置２から送信される更新データを、すべて受信したか否かを判定する（Ｓ１８）。なお、本実施形態では、更新データのデータサイズ、つまり、ビット数が予め決められているため、時計側通信処理部３４０は、受信したすべてのデータのデータサイズ（ビット数）を計算することで、更新データをすべて受信したか否かを判定できる。そして、時計側通信処理部３４０は、判定結果を制御回路３００に出力する。
【００９３】
制御回路３００は、時計側通信処理部３４０で更新データをすべて受信していないと判定された場合（Ｓ１８でＮＯ）、時計側通信処理部３４０の動作時間が予め設定された通信処理継続時間を超えているか否か、つまり、タイムアウトになったか否かを判定する（Ｓ１９）。
Ｓ１９でＹＥＳと判定された場合は、通信処理に成功できる状態にはないと判定できるため、それ以上電力を消費させないため、制御回路３００は、時計側通信処理部３４０の動作を終了させ、通信モードを終了（解除）する（Ｓ２０）。
一方、Ｓ１９でＮＯと判定された場合、制御回路３００は、処理をＳ１３に戻す。これにより、Ｓ１８でＹＥＳ、または、Ｓ１９でＹＥＳと判定される場合を除いて、Ｓ１３〜Ｓ１９の処理が繰り返し実行される。
【００９４】
時計側通信処理部３４０で更新データをすべて受信したと判定された場合（Ｓ１８でＹＥＳ）、記憶制御部３６０は、ＲＡＭ２１０に記憶されている受信されたデータ信号をEEPROM２２０に書き込む（Ｓ２１）。そして、制御回路３００は、Ｓ２０で、時計側通信処理部３４０の動作を終了させ、通信モードを終了する。
【００９５】
［通信装置の通信処理］
図１７は、通信装置２が実行する通信処理を示すフローチャートである。
通信装置２の制御回路６１は、電子時計１と通信を行う前に更新したいデータを通信インターフェイス６３あるいは記憶媒体読取部６５を用いて外部から読み込み、記憶装置６２に転送して記憶させておく。
制御回路６１は、Ａボタン５７１が押されて、電子時計１との通信の開始を指示する通信操作が行われたことを検出すると、装置側通信処理部６４０を作動する。
装置側通信処理部６４０は、まず、装置側受信制御部６４１を作動し、装置側受信制御部６４１は、電圧検出回路６７を制御してコイル５５で発生する誘導起電圧が閾値以上であるかを検出し、装置側受信部６８でデータ要求信号を受信したかを判定する（Ｓ３１）。
装置側受信制御部６４１は、Ｓ３１でＹＥＳと判定するまで、データ要求信号の受信判定処理Ｓ３１を継続する。
【００９６】
装置側受信制御部６４１がＳ３１でＹＥＳと判定すると、装置側通信処理部６４０は、装置側送信制御部６４２を作動し、装置側送信制御部６４２は、更新データ記憶部６２２に記憶された更新データから１ビットのデータ信号を読み込む（Ｓ３２）。
そして、装置側送信制御部６４２は、読み込んだデータ信号が「１」信号か否かを判定する（Ｓ３３）。
Ｓ３３でＹＥＳと判定された場合、装置側送信制御部６４２は、装置側送信部６９の発光素子駆動回路６６を制御して、発光素子５６のＬＥＤを点灯させ、「１」信号を送信させる（Ｓ３４）。
一方、Ｓ３３でＮＯと判定された場合、装置側送信制御部６４２は、発光素子駆動回路６６を制御して、発光素子５６のＬＥＤを消灯させ、「０」信号を送信させる（Ｓ３５）。
【００９７】
次に、装置側通信処理部６４０は、更新データをすべて送信したか否かを判定する（Ｓ３６）。Ｓ３６でＮＯと判定された場合、装置側通信処理部６４０は、処理をＳ３１に戻す。そして、装置側通信処理部６４０は、Ｓ３６でＹＥＳと判定するまで、Ｓ３１〜Ｓ３６の処理を繰り返し実行する。
そして、Ｓ３６でＹＥＳと判定されると、制御回路６１は、装置側通信処理部６４０の動作を終了させ、通信処理を終了する。
【００９８】
次に、更新データ送信時における各信号の出力タイミングについて説明する。
図１８のタイミングチャートでは、時間Ｔ１で電子時計１がモーターコイル１４３にパルスを出力してデータ要求信号を送信すると、通信装置２のコイル５５に電磁結合によってパルスが発生し、通信装置２はデータ要求信号を受信する。
このデータ要求信号の受信により、通信装置２は発光素子駆動回路６６を制御して更新データを１ビットずつ送信する。具体的には、装置側送信制御部６４２は、データ信号として「１」信号を送信させる場合、発光素子駆動回路６６を制御して発光素子５６を点灯させ、データ信号として「０」信号を送信させる場合、発光素子駆動回路６６を制御して発光素子５６を消灯させる。
図１８の例では、データ信号として、最初に「１」信号を送信するため、装置側送信制御部６４２は、発光素子５６を点灯させ、「１」信号を送信させている。
ここで、装置側送信制御部６４２は、時間Ｔ１から、時間Ｔ４で次のデータ要求信号を受信するまでの期間、発光素子５６の発光状態（点灯、消灯）を維持する。
【００９９】
発光素子５６が点灯すると、電子時計１の太陽電池１３５が、発光素子５６から出射された光を受光して発電し、太陽電池１３５の出力電圧が高くなる。
ここで、電子時計１の充電制御部３５０は、時間Ｔ１から時計側受信制御部３４２により太陽電池１３５の出力電圧の検出が開始される時間Ｔ２までの期間（充電期間Ｃ１）、電池電圧検出回路１３４の検出値が閾値以上の場合を除き、充電制御用スイッチ１３２をオン状態にする。ここでは、太陽電池１３５が発電しているため、太陽電池１３５で発電された電力は二次電池１３０に供給され、二次電池１３０は充電される。
【０１００】
時計側受信制御部３４２は、一定間隔の電圧検出タイミングで作動パルスを電圧検出回路１３３に送信しており、時間Ｔ２の電圧検出タイミングで入力された作動パルスで電圧検出回路１３３が作動する。
また、時間Ｔ２で、充電制御部３５０は、充電制御用スイッチ１３２をオフ状態にする。電圧検出回路１３３は、詳しくは、時間Ｔ２で、充電制御用スイッチ１３２がオフ状態にされた後に作動する。これにより、電圧検出回路１３３は、太陽電池１３５の出力電圧を、二次電池１３０の電圧の影響を受けない状態で検出できる。
電圧検出回路１３３は、太陽電池１３５の出力電圧が閾値（例えば３０００Ｌｘに対応する電圧値）より高い場合、制御回路３００で「１」信号と認識されるハイレベル信号を出力し、太陽電池１３５の出力電圧が閾値以下の場合、制御回路３００で「０」信号と認識されるローレベル信号を出力する。
図１８の例では、時間Ｔ２で充電制御用スイッチ１３２がオフ状態とされてから、太陽電池１３５の出力電圧が上昇する。そして、太陽電池１３５の出力電圧が閾値を超えたタイミングで、電圧検出回路１３３はハイレベル信号を出力する。
なお、太陽電池１３５に照射される光の照度と、太陽電池１３５の出力電圧との関係は、例えば、図１９に示すグラフで表される。このグラフのように、出力電圧は、照度が高くなるにしたがって高くなるため、出力電圧が閾値より高いか閾値以下かを判定することで、照度が所定照度より高いか所定照度以下かを判定できる。図１９の例では、出力電圧が５．４Ｖより高い場合は、照度は３０００Ｌｘより高いと判定でき、出力電圧が５．４Ｖ以下の場合は、照度は３０００Ｌｘ以下であると判定できる。
【０１０１】
そして、時計側受信制御部３４２は、作動パルスの立ち下がりタイミングである時間Ｔ３で、受信信号の判定を確定する。すなわち、時間Ｔ２から時間Ｔ３までの期間（検出期間Ｄ１）、太陽電池１３５の出力電圧の検出が行われる。
時間Ｔ３で、受信信号の判定が確定されると、充電制御部３５０は、電池電圧検出回路１３４の検出値が閾値未満の場合、充電制御用スイッチ１３２をオン状態にする。なお、図１８の例では、充電制御用スイッチ１３２がオン状態とされてから、太陽電池１３５の出力電圧が下降する。
すなわち、充電制御部３５０は、検出期間Ｄ１の間、充電制御用スイッチ１３２をオフ状態に維持している。
【０１０２】
次に、電子時計１の時計側送信制御部３４１は、データ要求信号の送信間隔（例えば１ｍｓ）である時間Ｔ４になると、モーターコイル１４３にパルスを出力させ、次の１ビットのデータの送信を要求するデータ要求信号を送信させる。すなわち、時間Ｔ１から時間Ｔ４までの期間は、１ビットのデータ信号に割り当てられた受信期間に相当する。なお、当該受信期間は、通信装置２において１ビットのデータ信号に割り当てられた送信期間と一致する。
ここで、充電制御部３５０は、時間Ｔ３から時間Ｔ４までの期間（充電期間Ｃ２）、電池電圧検出回路１３４の検出値が閾値以上の場合を除き、充電制御用スイッチ１３２をオン状態にする。ここでは、太陽電池１３５が発電しているため、太陽電池１３５で発電された電力は二次電池１３０に供給され、二次電池１３０は充電される。
なお、充電期間（Ｃ１＋Ｃ２）および検出期間Ｄ１は、それぞれ、受信期間の約半分の長さに設定されている。
【０１０３】
このようにして、電子時計１から通信装置２にデータ要求信号が送信される毎に、通信装置２から電子時計１に更新データが１ビットずつ送信される。
図１８の例では、時間Ｔ４でデータ要求信号が電子時計１から送信されると、通信装置２は、発光素子５６を消灯させ、データ信号として「０」信号を送信させる。
発光素子５６が消灯するため、電子時計１の太陽電池１３５は発電しない。このため、時間Ｔ４から時間Ｔ５までの充電期間Ｃ１では、二次電池１３０は充電されない。また、時間Ｔ５から時間Ｔ６までの検出期間Ｄ１では、電圧検出回路１３３は、「０」信号を出力する。また、時間Ｔ６からＴ７までの充電期間Ｃ２では、二次電池１３０は充電されない。
【０１０４】
このように、送信されるデータ信号が「１」信号の場合には、充電期間Ｃ１，Ｃ２で、電子時計１の二次電池１３０は充電される。一方、送信されるデータ信号が「０」信号の場合には、充電期間Ｃ１，Ｃ２で、二次電池１３０は充電されない。
なお、通信処理が終了すると、電子時計１の制御回路３００は、モーターコイル１４３に運針パルスを出力し、通信処理の間、駆動を停止していた指針を、早送りで移動させ、現在時刻を指示させる。
【０１０５】
［第１実施形態の作用効果］
通信処理の検出期間Ｄ１において、太陽電池１３５と二次電池１３０とが切断されているため、電圧検出回路１３３は、太陽電池１３５の出力電圧を、二次電池１３０の電圧の影響を受けない状態で検出できる。これにより、電圧検出回路１３３は、データ信号を正しく受信できる。
また、充電期間Ｃ１，Ｃ２において、太陽電池１３５と二次電池１３０とが接続されているため、通信装置２から「１」信号が送信されている場合、太陽電池１３５で発電された電力で二次電池１３０が充電される。これにより、通信処理による電池容量の低下を抑制できる。
【０１０６】
充電期間Ｃ１，Ｃ２において、二次電池１３０の電池容量が充足しており電池電圧検出回路１３４の検出値が閾値以上の場合には、充電制御用スイッチ１３２はオフされるため、太陽電池１３５に光が照射されても二次電池１３０は充電されない。これにより、過充電を防止できる。
【０１０７】
電子時計１は、電圧検出回路１３３の検出値に基づいて太陽電池１３５に光が照射されているか否かを判定することで、「１」信号および「０」信号を判定できるため、判定処理を簡略化できる。
【０１０８】
時計に搭載するモーターを変更する場合には、モーターを駆動するモーター駆動パルスの波形も変える必要がある。そこで、このような変更が想定されるパラメーター等は、書き換え可能な不揮発性メモリーに格納する事が一般的になっている。
通信システム１０は、歩度情報、ステップモーターの駆動設定情報、受信処理における衛星信号の自動受信間隔やタイムアウト時間等のパラメーターを更新データとして通信装置２から電子時計１に送信させる。これにより、不揮発性メモリーであるEEPROM２２０に格納された各種パラメーターを書き換えることができる。
【０１０９】
また、不揮発メモリーの大きさが近年大きくなってきており、時計を動作させるためのプログラムの格納も可能になってきている。
通信システム１０は、電子時計１の動作を制御するためのプログラムを更新データとして通信装置２から電子時計１に送信させる。これにより、EEPROM２２０に格納されたプログラムを書き換えることができる。
【０１１０】
また、ＧＰＳ付き時計では、タイムゾーン情報や夏時間に係る情報が格納されているローカルタイム情報を最新のデータにする要望が高まっている。このため、ローカルタイム情報も、書き換え可能な不揮発性メモリーに格納されている。
通信システム１０は、タイムゾーンや夏時間が変更された場合、タイムゾーン情報または夏時間に係る情報を更新データとして通信装置２から電子時計１に送信させる。これにより、EEPROM２２０に格納されたローカルタイム情報を書き換えることができる。
【０１１１】
通信装置２と電子時計１との間で、非接触通信が行われるため、操作者は、EEPROM２２０のデータを書き換える場合、時計の裏蓋を外して、不揮発性メモリーが実装された基板を時計のケースから取り出す必要がない。このため、操作者が基板をケースから取り出す手間がかからない。また、操作者は、作業中にケース内に入ったゴミやケバを除去する必要もなく、また、裏蓋を付けた後、防水の検査を行う必要もない。
【０１１２】
［第２実施形態］
第２実施形態の通信システムは、通信装置２Ａが、データ信号が「１」信号の場合、発光素子５６を第１輝度で点灯させ、データ信号が「０」信号の場合、発光素子５６を第１輝度よりも低い第２輝度で点灯させる点で、第１実施形態とは異なる。また、通信装置２Ａの制御回路６１Ａが、図２０に示すように、データ信号を送信する以外のタイミングで、発光素子５６を発光させ、電子時計１の二次電池１３０を充電させる発光制御部６５０を備える点で、第１実施形態とは異なる。発光制御部６５０は、本実施形態では、更新データの送信が開始される前、および、更新データがすべて送信された後に、発光素子５６を発光させる。その他の構成は、第１実施形態と同様である。
図２１は、通信装置２Ａが実行する通信処理を示すフローチャートである。
通信装置２Ａは、Ｓ３１〜Ｓ３３，Ｓ３４Ａ，Ｓ３５Ａ，Ｓ３６，Ｓ４１，Ｓ４２の処理を実行する。Ｓ３１〜Ｓ３３，Ｓ３６の処理は、第１実施形態と同じため、説明を省略する。
【０１１３】
第２実施形態の通信処理では、操作者が通信処理を開始するためのＡボタン５７１を押すと、Ｓ３１で装置側受信制御部６４１がコイル５５の誘導起電圧が検出されたかを判定する前に、発光制御部６５０は、電子時計１の太陽電池１３５を省電力で充電できるように、発光素子駆動回路６６を制御して、発光素子５６のＬＥＤを低輝度で点灯させる。これにより、電子時計１の太陽電池１３５は、低照度（例えば１０００Ｌｘ）の光で照らされ、発電する（Ｓ４１）。なお、通信装置２Ａが、電子時計１が台座部５３にセットされたことを検出する検出手段を有し、操作者が電子時計１を台座部５３にセットしたことが検出されると、発光制御部６５０が、発光素子５６のＬＥＤを点灯させるようにしてもよい。
そして、発光制御部６５０は、コイル５５に発生する誘導起電圧が検出され、Ｓ３１でＹＥＳと判定されるまで、発光素子５６を低輝度で継続して点灯させる。
この間、電子時計１では、電池電圧検出回路１３４の検出値が閾値未満の場合、充電制御用スイッチ１３２はオン状態とされているため、太陽電池１３５で発電された電力で二次電池１３０は充電される。
【０１１４】
また、更新データから読み込んだデータ信号が「１」信号であり、Ｓ３３でＹＥＳと判定された場合、装置側送信制御部６４２は、発光素子駆動回路６６を制御して、発光素子５６のＬＥＤを第１輝度（高輝度）で点灯させ、「１」信号を送信させる。これにより、電子時計１の太陽電池１３５は、高照度（例えば５０００Ｌｘ）の光で照らされる（Ｓ３４Ａ）。ここで、第１輝度は、電子時計１の太陽電池１３５が発光素子５６の光を受光することで、太陽電池１３５が発電して二次電池１３０を充電でき、かつ、太陽電池１３５の出力電圧が信号判定の閾値電圧（例えば５．４Ｖ）を超えるように設定される。なお、第１輝度は、第１実施形態における「１」信号を送信する場合の発光素子５６の輝度と同じ値である。
【０１１５】
一方、更新データから読み込んだデータ信号が「０」信号であり、Ｓ３３でＮＯと判定された場合、装置側送信制御部６４２は、発光素子駆動回路６６を制御して、発光素子５６のＬＥＤを第１輝度よりも低い第２輝度（低輝度）で点灯させ、「０」信号を送信させる。これにより、電子時計１の太陽電池１３５は、低照度（例えば１０００Ｌｘ）の光で照らされる（Ｓ３５Ａ）。ここで、第２輝度は、電子時計１の太陽電池１３５が発光素子５６の光を受光することで、太陽電池１３５が発電して二次電池１３０を充電でき、かつ、太陽電池１３５の出力電圧が信号判定の閾値電圧（例えば５．４Ｖ）以下となるように設定される。なお、第２輝度は、Ｓ４１における発光素子５６の輝度と同じ値であってもよいし、違う値であってもよい。
【０１１６】
また、更新データがすべて送信され、Ｓ３６でＹＥＳと判定された場合、発光制御部６５０は、電子時計１の太陽電池１３５を省電力で充電できるように、発光素子駆動回路６６を制御して、発光素子５６のＬＥＤを低輝度で所定期間点灯させる。これにより、電子時計１の太陽電池１３５は、低照度（例えば１０００Ｌｘ）の光で照らされ、発電する（Ｓ４２）。
この間、電子時計１では、電池電圧検出回路１３４の検出値が閾値未満の場合、充電制御用スイッチ１３２はオン状態とされているため、太陽電池１３５で発電された電力で二次電池１３０は充電される。
そして、所定時間が経過すると、制御回路６１は、通信処理を終了し、発光制御部６５０は、発光素子５６のＬＥＤを消灯する。なお、電子時計１が台座部５３から外されたことが検出されると、発光制御部６５０が、発光素子５６のＬＥＤを消灯するようにしてもよい。
【０１１７】
なお、本実施形態では、電子時計１の時計側受信制御部３４２は、第１実施形態と同様に、太陽電池１３５の出力電圧が、閾値電圧（例えば５．４Ｖ）より高いか閾値電圧以下かを判定することで、データ信号が「１」信号か「０」信号かを判定できる。
【０１１８】
図２２は、本実施形態における更新データ送信時における各信号の出力タイミングの一例を示す図である。
本実施形態では、データ信号として「０」信号が送信される場合も、電子時計１の太陽電池１３５は光で照らされて発電し、二次電池１３０を充電可能な電圧を出力する。
このため、図２２に示すように、「０」信号が送信される時間Ｔ４から時間Ｔ７までの受信期間の充電期間Ｃ１，Ｃ２においても、太陽電池１３５で発電された電力で二次電池１３０は充電される。
すなわち、本実施形態では、「１」信号を受信する受信期間および「０」信号を受信する受信期間の両方の受信期間の充電期間Ｃ１，Ｃ２において、太陽電池１３５で発電された電力で二次電池１３０は充電される。
【０１１９】
［第２実施形態の作用効果］
データ信号が「１」信号の場合および「０」信号の場合の両方の場合に、太陽電池１３５に光が照射されるため、例えばデータ信号が「１」信号の場合にのみ太陽電池１３５に光が照射される場合と比べて、二次電池１３０の充電量を多くできる。
【０１２０】
電子時計１において、更新データの受信が開始される前に二次電池１３０を充電できるため、更新データの受信処理が行われている間に、電池容量が低下することを防止でき、受信処理を確実に実行させることができる。
また、更新データの受信処理により電池容量が低下した場合でも、受信処理が終了した後に二次電池１３０を充電できるため、電池容量を回復させることができる。これにより、受信処理の後に、別途、電子時計１を充電させる必要がないため、電子時計１の使い勝手を向上できる。
【０１２１】
［第３実施形態］
第３実施形態の通信システムは、電子時計の記憶制御部３６０が、１ブロック分のデータ信号を受信した段階で、１ブロック分のデータ信号をEEPROM２２０に書き込む点で、第１実施形態とは異なる。また、通信装置の制御回路が、データ信号を送信する以外のタイミングで、発光素子５６を発光させる第２実施形態と同様の発光制御部６５０を備える点で、第１実施形態とは異なる。発光制御部６５０は、本実施形態では、１ブロック分のデータ信号がEEPROM２２０に書き込まれている間に、発光素子５６を発光させる。その他の構成は、第１実施形態と同様である。
【０１２２】
図２３は、第３実施形態の電子時計が実行する通信処理を示すフローチャートである。
電子時計は、Ｓ１１〜Ｓ２０，Ｓ２２，Ｓ２３の処理を実行する。Ｓ１１〜Ｓ２０の処理は、第１実施形態と同じため、説明を省略する。
第３実施形態の通信処理では、Ｓ１６またはＳ１７でデータ信号が受信され、ＲＡＭ２１０に記憶された後、時計側通信処理部３４０は、通信装置２から送信される更新データを１ブロック分受信したか否かを判定する（Ｓ２２）。１ブロックは、EEPROM２２０へのデータの書き込み単位であり、EEPROM２２０の仕様によって予め決められている。例えば、１バイトや１２８バイトなどを例示できる。その他、１ブロックは、ＲＡＭ２１０に一時的に保管する単位のデータサイズや通信に都合の良いデータサイズであってもよい。
Ｓ２２でＮＯと判定された場合、制御回路３００は、処理をＳ１３に戻す。
一方、Ｓ２２でＹＥＳと判定された場合、充電制御部３５０は、電池電圧検出回路１３４の検出値が閾値未満の場合、充電制御用スイッチ１３２をオン状態とする。
そして、記憶制御部３６０は、受信された１ブロック分のデータを、EEPROM２２０に書き込む（Ｓ２３）。そして、Ｓ１８で、時計側通信処理部３４０は、更新データをすべて受信したか否かを判定する。そして、Ｓ１８でＹＥＳと判定された場合は、Ｓ２０で、制御回路３００は、時計側通信処理部３４０の動作を終了させ、通信モードを終了する。
ここで、Ｓ２２でＹＥＳと判定されてから、Ｓ２３の処理が行われ、Ｓ１８でＮＯと判定され、Ｓ１９でＮＯと判定され、Ｓ１３でデータ要求信号を送信するまでの期間は、受信が停止されている受信停止期間である。なお、この期間中、通信装置は更新データの送信を停止している。
【０１２３】
図２４は、第３実施形態の通信装置が実行する通信処理を示すフローチャートである。
通信装置は、Ｓ３１〜Ｓ３６，Ｓ４３，Ｓ４４の処理を実行する。Ｓ３１〜Ｓ３６の処理は、第１実施形態と同じため、説明を省略する。
第３実施形態の通信処理では、Ｓ３４またはＳ３５でデータ信号が送信された後、装置側送信制御部６４２は、更新データが１ブロック分送信されたか否かを判定する（Ｓ４３）。Ｓ４３でＮＯと判定された場合、制御回路３００は、処理をＳ３１に戻す。
一方、Ｓ４３でＹＥＳと判定された場合、発光制御部６５０は、発光素子駆動回路６６を制御して、発光素子５６のＬＥＤを点灯させる（Ｓ４４）。
そして、Ｓ３６で、装置側通信処理部６４０は、更新データをすべて送信したか否かを判定する。
Ｓ３６でＮＯと判定された場合は、装置側通信処理部６４０は、処理をＳ３１に戻す。
これにより、Ｓ４４で発光素子５６が点灯されてから、電子時計においてデータの書き込み処理（Ｓ２３）が完了し、電子時計から次のデータ要求信号が送信されるまでの間、発光素子５６は継続して点灯する。
この間、電子時計では、太陽電池１３５が、発光素子５６が発光した光を受光して発電する。電池電圧検出回路１３４の検出値が閾値未満の場合、充電制御用スイッチ１３２はオン状態とされているため、二次電池１３０は、太陽電池１３５で発電された電力で充電される。
一方、Ｓ３６でＹＥＳと判定された場合、制御回路６１は、装置側通信処理部６４０の動作を終了させ、通信処理を終了する。
【０１２４】
［第３実施形態の作用効果］
記憶制御部３６０が受信された１ブロック分のデータ信号をEEPROM２２０に記憶させている間、二次電池１３０を充電することができ、通信処理による電池容量の低下をより抑制できる。
【０１２５】
［第４実施形態］
第４実施形態の通信システムは、更新データの送信が開始される前に、通信装置と電子時計との間で、データ信号の判定方法を設定する設定処理が行われる点で、第１実施形態とは異なる。その他の構成は第１実施形態と同様である。
【０１２６】
図２５は、第４実施形態の通信装置が実行する設定処理を示すフローチャートである。
通信装置の制御回路６１は、Ａボタン５７１が押されて、電子時計１との通信の開始を指示する通信操作が行われたことを検出すると、装置側通信処理部６４０を作動する。
装置側通信処理部６４０は、まず、装置側受信制御部６４１を作動し、装置側受信制御部６４１は、電圧検出回路６７を制御してコイル５５で発生する誘導起電圧が閾値以上であるかを検出し、信号判定の設定を要求する設定要求信号を受信したかを判定する（Ｓ５１）。
装置側受信制御部６４１は、Ｓ５１でＹＥＳと判定するまで、設定要求信号の受信判定処理Ｓ５１を継続する。
【０１２７】
装置側受信制御部６４１がＳ５１でＹＥＳと判定すると、装置側通信処理部６４０は、装置側送信制御部６４２を作動し、装置側送信制御部６４２は、更新データ記憶部６２２に記憶された更新データのすべてのデータ信号を読み込む（Ｓ５２）。
そして、装置側送信制御部６４２は、読み込んだすべてのデータ信号に含まれる「１」信号の数と「０」信号の数をカウントする。そして、カウントした「１」信号の数が「０」信号の数よりも多いか判定する（Ｓ５３）。ここで、Ｓ５３は本発明の判定処理に相当する。
【０１２８】
Ｓ５３でＹＥＳと判定された場合、装置側送信制御部６４２は、「１」信号を送信する場合、発光素子５６を点灯させ、「０」信号を送信する場合、発光素子５６を消灯する設定を行う（Ｓ５４）。
そして、装置側送信制御部６４２は、Ｓ５３の判定結果を送信するため、発光素子駆動回路６６を制御して発光素子５６のＬＥＤを例えば２回点灯させる（Ｓ５５）。
そして、装置側通信処理部６４０は、Ｓ５４で設定したデータ信号の送信方法にしたがって、第１実施形態と同様の手順で更新データを送信する通信処理を開始する。
【０１２９】
一方、Ｓ５３でＮＯと判定された場合、装置側送信制御部６４２は、「０」信号を送信する場合、発光素子５６を点灯させ、「１」信号を送信する場合、発光素子５６を消灯する設定を行う（Ｓ５６）。
そして、装置側送信制御部６４２は、Ｓ５３の判定結果を送信するため、発光素子駆動回路６６を制御して発光素子５６のＬＥＤを例えば３回点灯させる（Ｓ５７）。
そして、装置側通信処理部６４０は、Ｓ５６で設定されたデータ信号の送信方法にしたがって、第１実施形態と同様の手順で更新データを送信する通信処理を開始する。
【０１３０】
図２６は、第４実施形態の電子時計が実行する設定処理を示すフローチャートである。
電子時計の制御回路３００は、入力装置１６０の通信モード設定操作を検出すると（Ｓ６１）、時計側通信処理部３４０を作動して、電子時計１を通信モードに設定する（Ｓ６２）。
時計側通信処理部３４０は、動作を開始すると、時計側送信制御部３４１を作動させる。時計側送信制御部３４１は、コイル駆動回路１４２を制御して、モーターコイル１４３に１パルス出力し、つまり、電圧を出力し、設定要求信号を送信させる（Ｓ６３）。
【０１３１】
時計側通信処理部３４０は、時計側送信制御部３４１により設定要求信号が送信された後、時計側受信制御部３４２を作動させる。時計側受信制御部３４２は、動作を開始すると、電圧検出回路１３３を制御して、太陽電池１３５の出力電圧を検出させる（Ｓ６４）。そして、時計側受信制御部３４２は、電圧検出回路１３３で閾値より高い電圧を検出した回数を判定する（Ｓ６５）。
【０１３２】
Ｓ６５の判定結果が２回である場合、時計側受信制御部３４２は、発光素子５６が点灯し、電圧検出回路１３３の検出値が閾値より高い場合、「１」信号を受信したと判定し、発光素子５６が消灯し、電圧検出回路１３３の検出値が閾値以下の場合、「０」信号を受信したと判定する設定を行う（Ｓ６６）。
そして、時計側通信処理部３４０は、Ｓ６６で設定されたデータ信号の判定方法にしたがって、第１実施形態と同様の手順で更新データを受信する通信処理を開始する。
【０１３３】
一方、Ｓ６５の判定結果が３回である場合、時計側受信制御部３４２は、発光素子５６が消灯し、電圧検出回路１３３の検出値が閾値以下の場合、「１」信号を受信したと判定し、発光素子５６が点灯し、電圧検出回路１３３の検出値が閾値より高い場合、「０」信号を受信したと判定する設定を行う（Ｓ６７）。
そして、時計側通信処理部３４０は、Ｓ６７で設定されたデータ信号の判定方法にしたがって、第１実施形態と同様の手順で更新データを受信する通信処理を開始する。
【０１３４】
［第４実施形態の作用効果］
装置側送信制御部６４２は、更新データに含まれる「１」信号および「０」信号のうち、数が多い方のデータ信号を送信する場合に、発光素子５６を点灯させるため、反対の場合と比べて、更新データをすべて送信する間に、電子時計の太陽電池１３５に光が照射される期間を長くできる。これにより、二次電池１３０の充電量を多くできる。
【０１３５】
［第５実施形態］
第５実施形態の電子時計１Ａは、ＧＰＳ衛星から衛星信号を受信する機能を備えていない、太陽電池付きの腕時計である。
図２７は、電子時計１Ａの正面図であり、図２８は、電子時計１Ａの概略を示す断面図である。
電子時計１Ａは、図２７および図２８に示すように、バンド３９Ａが取り付けられたケース３１Ａと、カバーガラス３３Ａと、裏蓋３４Ａとを備えている。ケース３１Ａの側面には、リューズ４３Ａが設けられている。
図２８に示すように、ケース３１Ａの内側には、ダイヤルリング３５Ａと、文字板１１Ａと、指針２１Ａ（秒針），２２Ａ（分針），２３Ａ（時針）と、各指針およびカレンダー車２０Ａを駆動する駆動機構１４０Ａなどが備えられている。
【０１３６】
文字板１１Ａと、駆動機構１４０Ａが取り付けられている地板１２５Ａとの間には、太陽電池１３５Ａが備えられている。文字板１１Ａ、太陽電池１３５Ａおよび地板１２５Ａには、指針２１Ａ，２２Ａ，２３Ａの指針軸２９Ａが貫通する穴が形成されているとともに、カレンダー小窓１５Ａの開口部が形成されている。
【０１３７】
駆動機構１４０Ａは、地板１２５Ａに取り付けられ、回路基板１２０Ａで裏面側から覆われている。駆動機構１４０Ａは、ステップモーターと歯車などの輪列とを有し、当該ステップモーターが当該輪列を介して指針軸を回転させることにより各指針等を駆動する。
駆動機構１４０Ａは、具体的には、第１〜３駆動機構を備える。第１駆動機構は指針２２Ａおよび指針２３Ａを駆動し、第２駆動機構は指針２１Ａを駆動し、第３駆動機構はカレンダー車２０Ａを駆動する。
回路基板１２０Ａは、制御装置１００Ａ、記憶装置２００Ａを備えている。二次電池１３０Ａは、地板１２５Ａと裏蓋３４Ａとの間に設けられている。
【０１３８】
図２９は、電子時計１Ａの回路図である。
電子時計１Ａは、第１実施形態の電子時計１と同様に、制御回路３００Ａ、記憶装置２００Ａ、電源となる充電可能な二次電池１３０Ａ、太陽電池１３５Ａ、ダイオード１３１Ａ、充電制御用スイッチ１３２Ａ、電圧検出回路１３３Ａ、電池電圧検出回路１３４Ａ、モーターコイル１４３Ａ、コイル駆動回路１４２Ａを備えている。
ここで、制御回路３００Ａ、ダイオード１３１Ａ、充電制御用スイッチ１３２Ａ、電圧検出回路１３３Ａ、電池電圧検出回路１３４Ａ、コイル駆動回路１４２Ａは、制御装置１００Ａを構成している。
【０１３９】
制御回路３００Ａは、ＧＰＳ衛星から衛星信号を受信する機能や、受信した時刻情報や、受信した衛星信号に基づいて算出した位置情報に基づいて、内部時刻を修正する機能は備えていないが、その他の機能は、第１実施形態の制御回路３００と同様である。すなわち、制御回路３００Ａは、第１実施形態の制御回路３００と同様の時計側通信処理部、充電制御部、記憶制御部を備えている。
【０１４０】
電子時計１Ａには、通信装置２から、更新データとして、歩度情報、ステップモーターの駆動設定情報等のパラメーターや、電子時計１Ａの動作を制御するためのプログラム等が送信される。
【０１４１】
このような第５実施形態の通信システムにおいても、第１実施形態と同様の作用効果を得ることができる。
【０１４２】
［他の実施形態］
なお、本発明は前述の実施形態に限定されるものではなく、本発明の目的を達成できる範囲での変形、改良等は本発明に含まれるものである。
前記各実施形態の電子時計において、太陽電池の出力電圧を検出する電圧検出回路は、当該出力電圧と二次電池の電池電圧を比較する回路であってもよい。
変形例の電子時計１Ｂは、図３０に示すように、制御装置１００Ｂの電圧検出回路１３７が、太陽電池１３５および二次電池１３０に接続されている。
電圧検出回路１３７は、図３１に示すように、太陽電池１３５の出力電圧（端子電圧ＰＶＩＮ）と、二次電池１３０の端子電圧ＶＣＣとを、コンパレーター１３７Ｇで比較することで充電状態を検出するものである。
そして、制御回路３００からのオン／オフ信号によって、電圧検出回路１３７、具体的にはコンパレーター１３７Ｇの作動が制御される。コンパレーター１３７Ｇは、電池電圧よりも太陽電池の出力電圧が高い場合には、充電中であると判断し、出力（ＯＵＴ）から制御回路３００にハイレベル信号を出力する。
一方、コンパレーター１３７Ｇは、電池電圧よりも太陽電池の出力電圧が低い場合には、非充電中であると判断し、出力（ＯＵＴ）から制御回路３００にローレベル信号を出力する。
電圧検出回路１３７による検出は、充電制御用スイッチ１３２がオフ状態で行われる。
【０１４３】
なお、仮に、充電制御用スイッチ１３２をオン状態にして、太陽電池１３５の出力電圧を検出する場合、コンパレーターの閾値を、ダイオード１３１の両端の電位差である０．１５Ｖ程度に設定する必要がある。この場合、高い検出精度が要求されるので、回路が複雑化したり、誤検出が多くなったりする。
また、図３２に示す、太陽電池１３５に照射される光の照度（Ｌｘ）と、ダイオード１３１の順方向電圧Ｖｆとの関係を示すグラフに表されるように、照度が５Ｌｘ程度で順方向電圧Ｖｆが０．１５Ｖに達してしまうので、僅かな光が入射された時にデータを誤検出してしまう。
このような問題を回避するため、上記電圧検出回路１３７は、充電制御用スイッチ１３２がオフ状態のときの、太陽電池１３５の出力電圧と二次電池１３０の電池電圧との電圧差を検出している。
【０１４４】
前記各実施形態では、電子時計は、モーターコイルにパルスを出力して信号を送信していたが、本発明はこれに限定されない。
例えば、信号を送信するコイルとして、後述するブザーコイルや、照明用のＥＬ（Electro-Luminescence）ライトの駆動用のコイル等が用いられてもよい。また、電子時計が長波標準電波を受信するアンテナを備えた電波時計である場合には、当該アンテナのコイルが用いられてもよい。
また、電子時計に発光素子を設け、電子時計が発光素子を点灯または消灯することで信号を送信してもよい。この場合、通信装置は、受光素子を備え、当該受光素子の出力電圧を検出することで信号を受信する。
【０１４５】
図３３は、変形例の電子時計１Ｄを示す正面図である。
電子時計１Ｄは、指針２１Ｄ（秒針），２２Ｄ（分針），２３Ｄ（時針）に加えて、時刻をデジタル表示可能な表示装置４４を備えている。表示装置４４は、液晶表示装置や、ＥＰＤ（Electrophoretic Display）等で構成されている。
そして、表示装置４４の近傍には、照明用のＬＥＤ４５が設けられている。
また、電子時計１Ｄは、報知機能としてブザー機能を備え、ブザーコイル（昇圧コイル）１４４で裏蓋に取り付けたセラミック素子を発振させることで発音する。
また、電子時計１Ｄでは、文字板１１Ｄの外周に、リング状の太陽電池１３５Ｄが設けられている。太陽電池１３５Ｄは、４個のソーラーセルで構成されている。
電子時計１Ｄは、発光素子である、液晶表示装置のバックライト、または、ＬＥＤ４５を制御して点灯または消灯させることで信号を送信できる。
または、電子時計１Ｄは、ブザーコイル１４４にパルス（送信用パルス）を出力することで信号を送信できる。
【０１４６】
前記第３実施形態において、通信処理における受信停止期間を長く設定し、当該受信停止期間において、記憶制御部３６０が受信された１ブロック分のデータをEEPROM２２０に書き込む前または後に、二次電池１３０を充電させるための待機期間（本発明の所定期間）を設けてもよい。
データ信号をEEPROM２２０に記憶させる処理は電力を消費するため、データ信号をEEPROM２２０に記憶させる前の待機期間に、二次電池１３０が充電されることで、データ信号をEEPROM２２０に記憶させている間に、電池容量が低下することを防止でき、データ信号をEEPROM２２０に確実に記憶させることができる。
また、データ信号をEEPROM２２０に記憶させた後の待機期間に、二次電池１３０が充電されることで、データ信号をEEPROM２２０に記憶させることで電池容量が低下した場合でも、電池容量を自動的に回復させることができる。
なお、待機期間は、二次電池１３０の電池容量が低い場合にのみ設けてもよい。
【０１４７】
前記各実施形態において、時計側送信制御部３４１は、電池電圧検出回路の検出値に応じて、データ要求信号の送信間隔を変更することで、受信期間および充電期間Ｃ１，Ｃ２の長さを変更してもよい。
この場合、電池容量が低いと判定できる場合には、受信期間を長くして充電期間Ｃ１，Ｃ２を長くすることで、電池容量の低下を確実に抑制できる。また、電池容量が高いと判定できる場合には、充電期間を短くし、受信期間を短くすることで、通信期間を短縮できる。
【０１４８】
前記各実施形態において、データ信号の送信期間は、電子時計においてデータ信号に割り当てられた受信期間と一致しているが、本発明はこれに限定されない。例えば、前記送信期間は、検出期間Ｄ１を含み、かつ、検出期間Ｄ１よりも長ければ、受信期間より短くてもよい。
【０１４９】
前記各実施形態では、電子時計は、二次電池の電池電圧を検出する電池電圧検出回路を備えているが、本発明はこれに限定されない。すなわち、電池電圧検出回路はなくてもよい。
【０１５０】
前記各実施形態では、電子時計から通信装置にデータ要求信号が送信される毎に、通信装置から電子時計に更新データが１ビットずつ送信されるが、本発明はこれに限定されない。例えば、通信装置は、データ要求信号を受信する毎に、更新データを複数ビットずつ送信してもよい。
また、この場合、電子時計は、１ビットのデータ信号を受信する受信期間毎に充電期間を設定しなくても、複数ビットのデータ信号を受信する受信期間のどこかで充電期間を設定するようにしてもよい。
この場合の各信号の出力タイミングの例について説明する。
図３４のタイミングチャートでは、通信装置は、時間Ｔ１で電子時計からデータ要求信号を受信すると、最初の１ビットのデータ信号を、次の１ビットのデータ信号の送信タイミングである時間Ｔ４までの間、電子時計に送信する。
電子時計は、時間Ｔ１から太陽電池１３５の出力電圧の検出が開始される時間Ｔ２までの期間（充電期間Ｃ１）、充電制御用スイッチ１３２をオン状態にする。ここでは、太陽電池１３５が発電しているため、太陽電池１３５で発電された電力は二次電池１３０に供給され、二次電池１３０は充電される。
そして、電子時計は、時間Ｔ２で、充電制御用スイッチ１３２をオフ状態に変更し、電圧検出回路１３３を作動させる。そして、作動パルスの立ち下がりタイミングである時間Ｔ３で、受信信号の判定を確定する。すなわち、時間Ｔ２から時間Ｔ３までの期間（検出期間Ｄ１）、太陽電池１３５の出力電圧の検出が行われる。
その後、時間Ｔ４で、通信装置は、次の１ビットのデータ信号を、さらに次の１ビットのデータ信号の送信タイミングである時間Ｔ７までの間、電子時計に送信する。
電子時計は、時間Ｔ５で電圧検出回路１３３を作動させ、作動パルスの立ち下がりタイミングである時間Ｔ６で、受信信号の判定を確定する。すなわち、時間Ｔ５から時間Ｔ６までの期間（検出期間Ｄ１）、太陽電池１３５の出力電圧の検出が行われる。
その後、時間Ｔ７で、通信装置は、次の１ビットのデータ信号を、次のデータ要求信号の送信タイミングである時間Ｔ１０までの間、電子時計に送信する。
電子時計は、時間Ｔ８で電圧検出回路１３３を作動させ、作動パルスの立ち下がりタイミングである時間Ｔ９で、受信信号の判定を確定する。すなわち、時間Ｔ８から時間Ｔ９までの期間（検出期間Ｄ１）、太陽電池１３５の出力電圧の検出が行われる。
そして、電子時計は、時間Ｔ９から時間Ｔ１０までの期間（充電期間Ｃ２）、充電制御用スイッチ１３２をオン状態にする。ここでは、太陽電池１３５が発電しているため、太陽電池１３５で発電された電力は二次電池１３０に供給され、二次電池１３０は充電される。
このように、図３４の例では、時間Ｔ２から時間Ｔ９までの期間、充電制御用スイッチ１３２はオフ状態とされ、充電期間は設定されない。すなわち、２番目の１ビットのデータ信号の受信期間においては、充電期間は設定されないが、１番目および３番目の１ビットのデータ信号の受信期間における充電期間Ｃ１，Ｃ２で、二次電池１３０を充電できる。
なお、図３４の例では、前記各実施形態のように１ビットのデータ信号を受信する受信期間毎に充電期間を設定する場合と比べて、全体の充電期間は短くなる。このため、全体の充電期間を長くしたい場合には、前記各実施形態の方がより好ましい。
【０１５１】
また、通信装置は、電子時計との通信処理が開始された後、データ要求信号を受信することなく、更新データを電子時計に送信してもよい。この場合、第３実施形態では、通信装置は、更新データを１ブロック分送信した後、予め設定された期間、更新データの送信を停止し、この期間に、電子時計においてデータの書き込み処理が実施されるようにしてもよい。
【０１５２】
前記各実施形態では、検出期間Ｄ１と、充電制御用スイッチがオフ状態とされる期間が一致しているが、本発明はこれに限定されず、一致していなくてもよい。
【０１５３】
前記第２実施形態において、発光制御部６５０は、Ｓ４１，Ｓ４２で、発光素子５６を低輝度で点灯させているが、本発明はこれに限定されない。例えば、充電時間を短くしたい場合には、発光素子５６を高輝度で点灯させてもよい。
【０１５４】
前記第４実施形態において、電子時計の時計側送信制御部３４１は、データ信号の判定方法を設定する設定処理が終了した後、設定結果を通信装置に送信させてもよい。これによれば、通信装置は、電子時計において設定処理が正しく行われたことを確認できる。
【０１５５】
前記各実施形態では、装置側送信制御部６４２は、更新データ記憶部６２２に記憶されている更新データを読み込んでいるが、本発明はこれに限定されない。例えば、装置側送信制御部６４２は、記憶媒体に記憶されている更新データを、記憶媒体読取部６５を制御して読み込んでもよいし、ＰＣ等の電子機器に記憶された更新データや、ネットワーク上の更新データを、通信インターフェイス６３を制御して読み込んでもよい。
【０１５６】
前記各実施形態では、時計側受信部１７０は、太陽電池の出力電圧を検出することで信号を受信しているが、本発明はこれに限定されない。例えば、太陽電池の出力電流を検出することで信号を受信してもよい。
また、装置側受信部６８は、コイル５５の電圧を検出することで信号を受信しているが、本発明はこれに限定されない。例えば、コイル５５の電流を検出することで信号を受信してもよい。
【符号の説明】
【０１５７】
１，１Ａ，１Ｂ，１Ｄ…電子時計、１０…通信システム、１３０，１３０Ａ…二次電池、１３１，１３１Ａ…ダイオード、１３２，１３２Ａ…充電制御用スイッチ、１３３，１３３Ａ，１３７，６７…電圧検出回路、１３４，１３４Ａ…電池電圧検出回路、１３５，１３５Ａ，１３５Ｄ…太陽電池、１４２，１４２Ａ…コイル駆動回路、１４３，１４３Ａ…モーターコイル、２，２Ａ…通信装置、２２０…EEPROM、３００，３００Ａ…制御回路、３４０…時計側通信処理部、３４１…時計側送信制御部、３４２…時計側受信制御部、３５０…充電制御部、３６０…記憶制御部、５５…コイル、５６…発光素子、６４０…装置側通信処理部、６４１…装置側受信制御部、６４２…装置側送信制御部、６５０…発光制御部、６６…発光素子駆動回路。
【図１】
0006550921.tif 000002
【図２】
0006550921.tif 000003
【図３】
0006550921.tif 000004
【図４】
0006550921.tif 000005
【図５】
0006550921.tif 000006
【図６】
0006550921.tif 000007
【図７】
0006550921.tif 000008
【図８】
0006550921.tif 000009
【図９】
0006550921.tif 000010
【図１０】
0006550921.tif 000011
【図１１】
0006550921.tif 000012
【図１２】
0006550921.tif 000013
【図１３】
0006550921.tif 000014
【図１４】
0006550921.tif 000015
【図１５】
0006550921.tif 000016
【図１６】
0006550921.tif 000017
【図１７】
0006550921.tif 000018
【図１８】
0006550921.tif 000019
【図１９】
0006550921.tif 000020
【図２０】
0006550921.tif 000021
【図２１】
0006550921.tif 000022
【図２２】
0006550921.tif 000023
【図２３】
0006550921.tif 000024
【図２４】
0006550921.tif 000025
【図２５】
0006550921.tif 000026
【図２６】
0006550921.tif 000027
【図２７】
0006550921.tif 000028
【図２８】
0006550921.tif 000029
【図２９】
0006550921.tif 000030
【図３０】
0006550921.tif 000031
【図３１】
0006550921.tif 000032
【図３２】
0006550921.tif 000033
【図３３】
0006550921.tif 000034
【図３４】
0006550921.tif 000035